(57)【要約】  送信装置は、レガシープリアンブル、非レガシープリアンブルおよびデータフィールドを含む送信信号を生成する送信信号生成部と、送信信号を送信する送信部とを備える。非レガシープリアンブルは、第１の信号フィールドおよび第２の信号フィールドを含み、第２の信号フィールドは第１のチャネルフィールドを含み、送信信号が２つ以上のサブバンドチャネルを占有する場合、第２の信号フィールドは第２のチャネルフィールドをさらに含む。第１のチャネルフィールドおよび第２のチャネルフィールドの各々は、各々が端末局のためのユーザ別割当情報を搬送する複数のユーザフィールドを含むユーザ固有フィールドを含む。複数のユーザフィールドは、第１のサブバンドチャネルおよび第２のサブバンドチャネルをカバーする全帯域幅がマルチユーザＭＩＭＯ送信のために割り当てられるとき、第１のチャネルフィールドと第２のチャネルフィールドとの間で公平に分割される。
2019527494.tif 000002
【特許請求の範囲】
【請求項１】
送信装置であって、
動作時に、レガシープリアンブル、非レガシープリアンブル、およびデータフィールドを含む送信信号を生成する送信信号生成部であって、前記非レガシープリアンブルは、第１の信号フィールドおよび第２の信号フィールドを含み、前記第２の信号フィールドは、第１のサブバンドチャネルのための第１のチャネルフィールドを含み、前記送信信号が２つ以上のサブバンドチャネルを占有するときは、前記第２の信号フィールドは、前記第１のサブバンドチャネルとは異なる第２のサブバンドチャネルのための第２のチャネルフィールドをさらに含み、前記第１のチャネルフィールドおよび前記第２のチャネルフィールドの各々は、複数のユーザフィールドを含むユーザ固有フィールドを含み、各ユーザフィールドは、１つまたは複数の端末局のうちの対応する１つに関するユーザ別制御情報を搬送し、前記複数のユーザフィールドは、前記第１のサブバンドチャネルおよび前記第２のサブバンドチャネルをカバーする帯域幅全体がマルチユーザ（ＭＵ）ＭＩＭＯ送信に割り当てられるときに、前記第１のチャネルフィールドと前記第２のチャネルフィールドとの間で公平に分割される、送信信号生成部と、
動作中に、前記生成された送信信号を送信する送信部と
を備える、送信装置。
【請求項２】
前記ユーザ固有フィールドがＫ個のユーザフィールド（Ｋは１より大きい整数）を含む場合、前記Ｋ個のユーザフィールドの最初の半分は前記第１のチャネルフィールドにおいて搬送され、残りのユーザフィールドは前記第２のチャネルフィールドにおいて搬送される、請求項１に記載の送信装置。
【請求項３】
前記第１の信号フィールドは高効率（ＨＥ）−ＳＩＧ−Ａフィールドであり、前記第２の信号フィールドはＨＥ−ＳＩＧ−Ｂフィールドである、請求項１に記載の送信装置。
【請求項４】
４０ＭＨｚの帯域幅が使用される場合、前記第１のチャネルフィールドは第１の２０ＭＨｚサブバンドチャネルに対応し、前記第２のチャネルフィールドは前記第１の２０ＭＨｚサブバンドチャネルに隣接して位置する第２の２０ＭＨｚサブバンドチャネルに対応する、請求項１に記載の送信装置。
【請求項５】
前記第１のチャネルフィールドおよび前記第２のチャネルフィールドの各々が、前記１つまたは複数の端末局の対応するサブバンドチャネルにおけるリソースユニット（ＲＵ）割当を示す複数のビットを含む共通フィールドをさらに含むとき、前記共通フィールドに含まれる前記複数のビットと、前記ユーザ固有フィールド内の各ユーザフィールドの位置とがともに、前記１つまたは複数の端末局のうちの対応する１つのデータ送信に使用されるＲＵを特定する、請求項１に記載の送信装置。
【請求項６】
前記第１のサブバンドチャネルまたは前記第２のサブバンドチャネル内の１つのＲＵのみが単一ユーザ（ＳＵ）送信のために割り当てられているとき、前記第１のチャネルフィールドおよび前記第２のチャネルフィールドの対応する１つは、複数のビットを含む共通フィールドをさらに含み、前記複数のビットの組合せは、周波数ドメインにおけるＲＵ割当を示すためのリソースユニット（ＲＵ）割当インデックスであり、前記ＲＵ割当インデックスは、前記ユーザ固有フィールド内のユーザフィールド（複数可）の数が最小になるように割り当てられる、請求項１に記載の送信装置。
【請求項７】
前記第１の信号フィールドは、特定のリソース割当の存在を示すためのシグナリングビットを含む、請求項１に記載の送信装置。
【請求項８】
前記第１のチャネルフィールド内のユーザフィールドの数が前記第２のチャネルフィールド内のユーザフィールドの数よりも多いとき、前記第１のチャネルフィールド内の前記複数のユーザフィールドの一部は、前記第２のチャネルフィールドの前記ユーザ固有フィールドに再配置され、前記第１のチャネルフィールド内のユーザフィールドの数が前記第２のチャネルフィールド内のユーザフィールドの数よりも少ない場合、前記第２のチャネルフィールド内の前記複数のユーザフィールドの一部は、前記第１のチャネルフィールドの前記ユーザ固有フィールドに再配置される、請求項１に記載の送信装置。
【請求項９】
前記複数のユーザフィールドの前記再配置される部分は、他方の前記チャネルフィールドの所定の位置に配置される、請求項８に記載の送信装置。
【請求項１０】
前記複数のユーザフィールドの前記再配置される部分の長さは、前記第１のチャネルフィールドおよび前記第２のチャネルフィールドのうちの一方の前記第１の信号フィールドまたは前記共通フィールドにおいてシグナリングされる、請求項８に記載の送信装置。
【請求項１１】
送信方法であって、
レガシープリアンブル、非レガシープリアンブル、およびデータフィールドを含む送信信号を生成するステップであって、前記非レガシープリアンブルは、第１の信号フィールドおよび第２の信号フィールドを含み、前記第２の信号フィールドは、第１のサブバンドチャネルのための第１のチャネルフィールドを含み、前記送信信号が２つ以上のサブバンドチャネルを占有するときは、前記第２の信号フィールドは、前記第１のサブバンドチャネルとは異なる第２のサブバンドチャネルのための第２のチャネルフィールドをさらに含み、前記第１のチャネルフィールドおよび前記第２のチャネルフィールドの各々は、複数のユーザフィールドを含むユーザ固有フィールドを含み、各ユーザフィールドは、１つまたは複数の端末局のうちの対応する１つに関するユーザ別制御情報を搬送し、前記複数のユーザフィールドは、前記第１のサブバンドチャネルおよび前記第２のサブバンドチャネルをカバーする帯域幅全体がマルチユーザ（ＭＵ）ＭＩＭＯ送信に割り当てられるときに、前記第１のチャネルフィールドと前記第２のチャネルフィールドとの間で公平に分割される、ステップと、
前記生成された送信信号を送信するステップと
を含む、送信方法。
【請求項１２】
前記ユーザ固有フィールドがＫ個のユーザフィールド（Ｋは１より大きい整数）を含む場合、前記Ｋ個のユーザフィールドの最初の半分は前記第１のチャネルフィールドにおいて搬送され、残りのユーザフィールドは前記第２のチャネルフィールドにおいて搬送される、請求項１１に記載の送信方法。
【請求項１３】
前記第１の信号フィールドは高効率（ＨＥ）−ＳＩＧ−Ａフィールドであり、前記第２の信号フィールドはＨＥ−ＳＩＧ−Ｂフィールドである、請求項１１に記載の送信方法。
【請求項１４】
４０ＭＨｚの帯域幅が使用される場合、前記第１のチャネルフィールドは第１の２０ＭＨｚサブバンドチャネルに対応し、前記第２のチャネルフィールドは前記第１の２０ＭＨｚサブバンドチャネルに隣接して位置する第２の２０ＭＨｚサブバンドチャネルに対応する、請求項１１に記載の送信方法。
【請求項１５】
前記第１のチャネルフィールドおよび前記第２のチャネルフィールドの各々が、前記１つまたは複数の端末局の対応するサブバンドチャネルにおけるリソースユニット（ＲＵ）割当を示す複数のビットを含む共通フィールドをさらに含むとき、前記共通フィールドに含まれる前記複数のビットと、前記ユーザ固有フィールド内の各ユーザフィールドの位置とがともに、前記１つまたは複数の端末局のうちの対応する１つのデータ送信に使用されるＲＵを特定する、請求項１１に記載の送信方法。
【請求項１６】
前記第１のサブバンドチャネルまたは前記第２のサブバンドチャネル内の１つのＲＵのみが単一ユーザ（ＳＵ）送信のために割り当てられているとき、前記第１のチャネルフィールドおよび前記第２のチャネルフィールドの対応する１つは、複数のビットを含む共通フィールドをさらに含み、前記複数のビットの組合せは、周波数ドメインにおけるＲＵ割当を示すためのリソースユニット（ＲＵ）割当インデックスであり、前記ＲＵ割当インデックスは、ユーザ固有フィールド内の前記ユーザフィールド（複数可）の数が最小になるように割り当てられる、請求項１１に記載の送信方法。
【請求項１７】
前記第１の信号フィールドは、特定のリソース割当の存在を示すためのシグナリングビットを含む、請求項１１に記載の送信方法。
【請求項１８】
前記第１のチャネルフィールド内のユーザフィールドの数が前記第２のチャネルフィールド内のユーザフィールドの数よりも多いとき、前記第１のチャネルフィールド内の前記複数のユーザフィールドの一部は、前記第２のチャネルフィールドの前記ユーザ固有フィールドに再配置され、前記第１のチャネルフィールド内のユーザフィールドの数が前記第２のチャネルフィールド内のユーザフィールドの数よりも少ない場合、前記第２のチャネルフィールド内の前記複数のユーザフィールドの一部は、前記第１のチャネルフィールドの前記ユーザ固有フィールドに再配置される、請求項１１に記載の送信方法。
【請求項１９】
前記複数のユーザフィールドの前記再配置される部分は、他方の前記チャネルフィールドの所定の位置に配置される、請求項１８に記載の送信方法。
【請求項２０】
前記複数のユーザフィールドの前記再配置される部分の長さは、前記第１のチャネルフィールドおよび前記第２のチャネルフィールドのうちの一方の前記第１の信号フィールドまたは前記共通フィールドにおいてシグナリングされる、請求項１８に記載の送信方法。
【発明の詳細な説明】
【技術分野】
【０００１】
本開示は、一般に無線通信に関し、より詳細には、無線通信システムにおいて制御シグナリングを送信するための送信装置および送信方法に関する。
【背景技術】
【０００２】
ＩＥＥＥ（米国電気電子学会（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ））８０２．１１ワーキンググループは、高密度シナリオにおいてユーザが実世界のスループットにおける非常に大きな増加を達成するために、８０２．１１ａｘ  ＨＥ（高効率（Ｈｉｇｈ  Ｅｆｆｉｃｉｅｎｃｙ））ＷＬＡＮ（無線ローカルエリアネットワーク（Ｗｉｒｅｌｅｓｓ  Ｌｏｃａｌ  Ａｒｅａ  Ｎｅｔｗｏｒｋ））エアインタフェースを開発している。ＯＦＤＭＡ（直交周波数分割多元接続（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ））マルチユーザ送信は、８０２．１１ａｘの最も重要な特徴の１つとして想定されている。ＯＦＤＭＡは、ＯＦＤＭシステムの時間および周波数リソースにわたって複数のユーザへのおよび複数のユーザからのデータストリームの複数の動作を実行する多元接続方式である。
【０００３】
８０２．１１ａｘにおけるＯＦＤＭＡマルチユーザ送信の周波数スケジューリングを行うための研究が進められている。周波数スケジューリングによれば、無線通信アクセスポイント装置（以下、単に「アクセスポイント」または「ＡＰ」という）は、複数の無線通信局装置（以下、単に「端末局」または「ＳＴＡ」という）に、ＳＴＡの周波数帯域の受信品質に基づいてサブキャリアを適応的に割り当てる。これにより、最大限のマルチユーザダイバーシティ効果を得ることができ、通信を非常に効率的に行うことができる。
【０００４】
周波数スケジューリングは、一般に、リソースユニット（ＲＵ：Ｒｅｓｏｕｒｃｅ  Ｕｎｉｔ）に基づいて行われる。ＲＵは、複数の連続するサブキャリアを含む。ＲＵは、ＡＰが通信する複数のＳＴＡの各々にＡＰによって割り当てられる。ＡＰによって実行される周波数スケジューリングのリソース割当結果は、リソース割当情報としてＳＴＡに通知されるべきである。さらに、ＡＰはまた、共通制御情報およびユーザ別割当情報などの他の制御シグナリングをＳＴＡに通知するべきである。
【先行技術文献】
【非特許文献】
【０００５】
【非特許文献１】ＩＥＥＥ８０２．１１−１５／０１３２ｒ９，  Ｓｐｅｃｉｆｉｃａｔｉｏｎ  Ｆｒａｍｅｗｏｒｋ  ｆｏｒ  ＴＧａｘ，Ｓｅｐｔｅｍｂｅｒ  ２０１５
【非特許文献２】ＩＥＥＥ８０２．１１−１５／１０６６ｒ０，ＨＥ−ＳＩＧ−Ｂ  Ｃｏｎｔｅｎｔｓ，Ｓｅｐｔｅｍｂｅｒ  ２０１５
【非特許文献３】ＩＥＥＥ  Ｓｔｄ  ８０２．１１ａｃ−２０１３
【非特許文献４】ＩＥＥＥ８０２．１１−１５／０１３２ｒ１５，  Ｓｐｅｃｉｆｉｃａｔｉｏｎ  Ｆｒａｍｅｗｏｒｋ  ｆｏｒ  ＴＧａｘ，Ｊａｎｕａｒｙ  ２０１６
【非特許文献５】ＩＥＥＥ８０２．１１−１６／００２４ｒ０，Ｐｒｏｐｏｓｅｄ  ＴＧａｘ  Ｄｒａｆｔ  Ｓｐｅｃｉｆｉｃａｔｉｏｎ，Ｊａｎｕａｒｙ  ２０１６
【非特許文献６】ＩＥＥＥ８０２．１１−１５／０１３２ｒ１７，Ｓｐｅｃｉｆｉｃａｔｉｏｎ  Ｆｒａｍｅｗｏｒｋ  ｆｏｒ  ＴＧａｘ，Ｍａｙ  ２０１６
【非特許文献７】ＩＥＥＥ８０２．１１−１５／０５７４ｒ０，ＳＩＧ  Ｓｔｒｕｃｔｕｒｅ  ｆｏｒ  ＵＬ  ＰＰＤＵ，Ｍａｙ  ２０１５
【非特許文献８】ＩＥＥＥ８０２．１１−１６／０６１３ｒ１，ＨＥ−ＳＩＧ−Ｂ  Ｒｅｌａｔｅｄ  Ｉｓｓｕｅｓ，Ｍａｙ  ２０１６
【非特許文献９】ＩＥＥＥ８０２．１１−１５／０８０５ｒ２，ＳＩＧ−Ｂ  Ｆｉｅｌｄ  ｆｏｒ  ＨＥＷ  ＰＰＤＵ，Ｊｕｌｙ  ２０１５
【発明の概要】
【発明が解決しようとする課題】
【０００６】
周波数スケジューリングの柔軟性が高まるにつれて、ＳＴＡに制御シグナリング（すなわち、共通制御情報、リソース割当情報およびユーザ別割当情報）を通知するためにより多くのシグナリングビットが必要とされる。この結果として、制御シグナリングを通知するためのオーバーヘッドが増加する。したがって、周波数スケジューリングの柔軟性と制御シグナリングを通知するためのオーバーヘッドとの間にはトレードオフの関係がある。課題は、制御シグナリングを通知するためのオーバーヘッドの増加を抑制しながら、柔軟な周波数スケジューリングをいかに達成するかである。
【課題を解決するための手段】
【０００７】
１つの一般的な態様において、本明細書で開示される技法は、送信装置を特徴とし、送信装置は、動作時に、レガシープリアンブル、非レガシープリアンブル、およびデータフィールドを含む送信信号を生成する送信信号生成部であって、非レガシープリアンブルは、第１の信号フィールドおよび第２の信号フィールドを含み、第２の信号フィールドは、第１のサブバンドチャネルのための第１のチャネルフィールドを含み、送信信号が２つ以上のサブバンドチャネルを占有するときは、第２の信号フィールドは、第１のサブバンドチャネルとは異なる第２のサブバンドチャネルのための第２のチャネルフィールドをさらに含み、第１のチャネルフィールドおよび第２のチャネルフィールドの各々は、複数のユーザフィールドを含むユーザ固有フィールドを含み、各ユーザフィールドは、１つまたは複数の端末局のうちの対応する１つに関するユーザ別割当情報を搬送し、複数のユーザフィールドは、第１のサブバンドチャネルおよび第２のサブバンドチャネルをカバーする帯域幅全体がマルチユーザ（ＭＵ：ｍｕｌｔｉ−ｕｓｅｒ）ＭＩＭＯ送信に割り当てられるときに、第１のチャネルフィールドと第２のチャネルフィールドとの間で公平に分割される、送信信号生成部と、動作中に、生成された送信信号を送信する送信部とを備える。
【０００８】
一般的なまたは特定の開示は、システム、方法、集積回路、コンピュータプログラム、記憶媒体、またはそれらの任意の選択的組合せとして実装され得ることに留意されたい。
【０００９】
本開示の送信装置および送信方法によれば、制御シグナリングを通知するためのオーバーヘッドの増加を抑制しつつ、柔軟な周波数スケジューリングを達成することができる。
【００１０】
開示される実施形態のさらなる利益および利点は、本明細書および図面から明らかになるであろう。利益および／または利点は、そのような利益および／または利点の１つ以上を得るためにすべて提供される必要はない、本明細書および図面の様々な実施形態および特徴によって個別に得ることができる。
【図面の簡単な説明】
【００１１】
【図１】ＩＥＥＥ  ８０２．１１ａｘ仕様フレームワーク文書に準拠するＨＥパケットのフォーマットを示す図である。
【図２】ＣＢＷ＝４０ＭＨｚの場合のＨＥパケットのＨＥデータフィールドのＯＦＤＭＡ構造の一例を示す図である。
【図３】ＣＢＷ＝４０ＭＨｚの場合のＨＥパケットのＨＥ−ＳＩＧ−Ｂの構造の一例を示す図である。
【図４】ＣＢＷ＝４０ＭＨｚの場合のＨＥパケットのＨＥ−ＳＩＧ−Ｂのフォーマットの一例を示す図である。
【図５】ＣＢＷ＝４０ＭＨｚの場合のＨＥパケットのＨＥ−ＳＩＧ−Ｂのフォーマットの別の例を示す図である。
【図６】本開示の第１の実施形態に係るＣＢＷ＝４０ＭＨｚの場合のＨＥパケットのＨＥ−ＳＩＧ−Ｂのフォーマットの一例を示す図である。
【図７】本開示の第２の実施形態に係るＣＢＷ＝４０ＭＨｚの場合のＨＥパケットのＨＥ−ＳＩＧ−Ｂのフォーマットの一例を示す図である。
【図８】本開示の第３の実施形態に係るＣＢＷ＝４０ＭＨｚの場合のＨＥパケットのＨＥ−ＳＩＧ−Ｂのフォーマットの一例を示す図である。
【図９】本開示の第４の実施形態に係るＣＢＷ＝４０ＭＨｚの場合のＨＥパケットのＨＥ−ＳＩＧ−Ｂのフォーマットの一例を示す図である。
【図１０】本開示の第５の実施形態に係るＣＢＷ＝４０ＭＨｚの場合のＨＥパケットのＨＥ−ＳＩＧ−Ｂのフォーマットの一例を示す図である。
【図１１】本開示の第６の実施形態に係るＣＢＷ＝４０ＭＨｚの場合のＨＥパケットのＨＥ−ＳＩＧ−Ｂのフォーマットの一例を示す図である。
【図１２】本開示に係るＡＰの構成例を示すブロック図である。
【図１３】本開示に係るＳＴＡの構成例を示すブロック図である。
【図１４】本開示に係るＳＵ部分帯域送信に使用されるＨＥパケットのフォーマットの一例を示す図である。
【図１５】本開示の第１２に係るＳＵ部分帯域送信に使用されるＨＥパケットのＨＥ−ＳＩＧ−Ｂのフォーマットの一例を示す図である。
【図１６】本開示の第１３の実施形態に係るＳＵ部分帯域送信に使用されるＨＥパケットのＨＥ−ＳＩＧ−Ｂのフォーマットの一例を示す図である。
【発明を実施するための形態】
【００１２】
本開示の様々な実施形態を、ここで添付の図面を参照して詳細に説明する。以下の説明において、既知の機能および構成の詳細な説明は、明瞭かつ簡潔にするために省略されている。
【００１３】
図１は、ＩＥＥＥ  ８０２．１１ａｘ仕様フレームワーク文書に準拠する高効率（ＨＥ：Ｈｉｇｈ  Ｅｆｆｉｃｉｅｎｃｙ）パケット１００のフォーマットを示す。ＨＥパケット１００は、レガシーショートトレーニングフィールド（Ｌ−ＳＴＦ）１０２、レガシーロングトレーニングフィールド（Ｌ−ＬＴＦ）１０４およびレガシー信号フィールド（Ｌ−ＳＩＧ）１０６を含むレガシープリアンブルと、レペティション（repetition）Ｌ−ＳＩＧフィールド（ＲＬ−ＳＩＧ）１０８、第１のＨＥ信号フィールド（ＨＥ−ＳＩＧ−Ａ）１１０、第２のＨＥ信号フィールド（ＨＥ−ＳＩＧ−Ｂ）１１２、ＨＥショートトレーニングフィールド（ＨＥ−ＳＴＦ）１１４、およびＨＥロングトレーニングフィールド（ＨＥ−ＬＴＦ）１１６を含むＨＥプリアンブルと、ＨＥデータフィールド１２０とを含む。
【００１４】
レガシープリアンブル（１０２、１０４、１０６）は、従来の８０２．１１ａ／ｇ／ｎ／ａｃ規格との後方互換性を促進するために使用される。Ｌ−ＳＴＦ  １０２およびＬ−ＬＴＦ  １０４は、主に、パケット検出、自動利得制御（ＡＧＣ）設定、周波数オフセット推定、時間同期およびチャネル推定に使用される。ＨＥプリアンブル内のＲＬ−ＳＩＧ  １０８と共に、Ｌ−ＳＩＧ  １０６は、ＨＥパケット１００をレガシー８０２．１１ａ／ｇ／ｎ／ａｃパケットから区別するのを助けるために使用される。
【００１５】
ＨＥプリアンブル内のＨＥ−ＳＩＧ−Ａ  １１０は、ＨＥパケット１００の残りのフィールド、例えばＣＢＷ（チャネル帯域幅（Ｃｈａｎｎｅｌ  Ｂａｎｄｗｉｄｔｈ））、ＨＥ−ＳＩＧ−Ｂシンボルの数およびＨＥ−ＳＩＧ−Ｂ  １１２に用いられるＭＣＳ（変調符号化方式（Ｍｏｄｕｌａｔｉｏｎ  ａｎｄ  Ｃｏｄｉｎｇ  Ｓｃｈｅｍｅ））を解釈するために必要とされる共通制御情報を搬送する。
【００１６】
ＨＥプリアンブル内のＨＥ−ＳＩＧ−Ｂ  １１２は、特に、下りリンク（ＤＬ：ｄｏｗｎｌｉｎｋ）マルチユーザ（ＭＵ：ｍｕｌｔｉｕｓｅｒ）送信のために、指定された受信ＳＴＡに対するリソース割当情報およびユーザ別割当情報を含む。ＨＥ−ＳＩＧ−Ｂ  １１２は、単一ユーザ（ＳＵ：ｓｉｎｇｌｅ  ｕｓｅｒ）送信または上りリンク（ＵＬ：ｕｐｌｉｎｋ）ＭＵ送信に使用されることを意図する場合には、ＨＥパケット１００には存在しない。ＵＬ  ＭＵ送信については、指定された送信ＳＴＡのためのリソース割当情報およびユーザ別割当情報がＡＰにおいて予め設定され、指定された送信ＳＴＡにＡＰによってトリガフレーム内で送信される。
【００１７】
ＨＥプリアンブル内のＨＥ−ＳＴＦ  １１４は、ＡＧＣをリセットするために使用され、ＡＤＣ（アナログ−デジタル変換器）に対するダイナミックレンジ要件を低減する。ＨＥプリアンブル内のＨＥ−ＬＴＦ  １１６は、ＨＥデータフィールド１２０を受信して等化するためのＭＩＭＯ（多入力多出力（Ｍｕｌｔｉｐｌｅ  Ｉｎｐｕｔ  Ｍｕｌｔｉｐｌｅ  Ｏｕｔｐｕｔ））チャネル推定のために提供される。
【００１８】
ＨＥデータフィールド１２０は、１つまたは複数のＳＴＡに対するペイロードを搬送する。ＳＵ送信に関する特定のＳＴＡまたはＭＵ−ＭＩＭＯ送信に関するＳＴＡの特定のグループに関して、ペイロードは、複数のＯＦＤＭシンボルにわたるＲＵの単位で、指定されたリソース上で搬送される。ＲＵは、ＲＵ当たりの構成サブキャリアの数に応じて異なるタイプを有することができる。ＨＥデータフィールド１２０内のＯＦＤＭシンボルは、１２．８μｓのＤＦＴ（離散フーリエ変換（Ｄｉｓｃｒｅｔｅ  Ｆｏｕｒｉｅｒ  Ｔｒａｎｓｆｏｒｍ））期間および７８．１２５ｋＨｚのサブキャリア間隔を使用すべきである。ＯＦＤＭシンボル当たりのサブキャリアの数は、ＣＢＷの値に依存する。例えば、ＣＢＷ＝４０ＭＨｚの場合、ＯＦＤＭシンボルあたりのサブキャリア数は５１２である。したがって、特定のタイプのＲＵについて、ＯＦＤＭシンボルあたりのＲＵの最大数はＣＢＷのサイズにも依存する。
【００１９】
図２は、ＣＢＷ＝４０ＭＨｚの場合のＨＥパケット１００のＨＥデータフィールド１２０のＯＦＤＭＡ構造の一例を示す。タイプＩ  ＲＵは、２６の連続するトーンを含み、約２ＭＨｚの帯域幅を有する。タイプＩＩ  ＲＵは、５２の連続するトーンを含み、約４．１ＭＨｚの帯域幅を有する。タイプＩＩＩ  ＲＵは、１０６の連続するトーンを含み、約８．３ＭＨｚの帯域幅を有する。タイプＩＶ  ＲＵは、２４２の連続トーンを含み、約１８．９ＭＨｚの帯域幅を有する。タイプＶ  ＲＵは、４８４の連続トーンを含み、約３７．８ＭＨｚの帯域幅を有する。４０ＭＨｚのＯＦＤＭＡがサポートすることができるタイプＩ  ＲＵ、タイプＩＩ  ＲＵ、タイプＩＩＩ  ＲＵ、タイプＩＶ  ＲＵおよびタイプＶ  ＲＵの最大数は、それぞれ１８，８，４，２、および１である。異なるタイプのＲＵの混合も、４０ＭＨｚ  ＯＦＤＭＡに収容することができる。
【００２０】
Ｌ−ＳＴＦ  １０２、Ｌ−ＬＴＦ  １０４、Ｌ−ＳＩＧ  １０６、ＲＬ−ＳＩＧ  １０８、ＨＥ−ＳＩＧ−Ａ  １１０、ＨＥ−ＳＩＧ−Ｂ  １１２、ＨＥ−ＳＴＦ  １１４、ＨＥ−ＬＴＦ  １１６、およびＨＥデータフィールド１２０の送信処理の詳細は、ＩＥＥＥ  ８０２．１１ａｘ仕様フレームワーク文書に見出すことができる。
【００２１】
特に、ＨＥ−ＳＩＧ−Ｂ  １１２は、２０ＭＨｚサブバンド毎に符号化される。ＣＢＷ＝４０ＭＨｚ、８０ＭＨｚ、１６０ＭＨｚまたは８０＋８０ＭＨｚの場合、異なる内容を搬送する２０ＭＨｚサブバンドの数は２である。ＨＥ−ＳＩＧ−Ｂシンボルは、３．２μｓのＤＦＴ期間および３１２．５ｋＨｚのサブキャリア間隔を使用すべきである。ＨＥ−ＳＩＧ−Ｂシンボル当たりのデータサブキャリアの数は５２である。
【００２２】
図３は、ＣＢＷ＝４０ＭＨｚの場合のＨＥパケット１００のＨＥ−ＳＩＧ−Ｂ  １１２の構造の一例を示す。ＨＥ−ＳＩＧ−Ｂ  １１２は、異なる周波数サブバンドチャネルを使用する２つのチャネルフィールド、すなわち、ＨＥ−ＳＩＧ−Ｂ１  ３０２およびＨＥ−ＳＩＧ−Ｂ２  ３０４を含む。ＨＥ−ＳＩＧ−Ｂ１  ３０２は第１の２０ＭＨｚサブバンドチャネル３２２を介して送信され、一方で、ＨＥ−ＳＩＧ−Ｂ２  ３０４は第２の２０ＭＨｚサブバンドチャネル３２４を介して送信される。
【００２３】
２０ＭＨｚのサブバンドチャネル内に完全に位置する１つの割り当てに関するリソース割当情報およびユーザ別割当情報は、２つのＨＥ−ＳＩＧ−Ｂチャネルフィールドのうちの１つにおいて搬送され、同じ２０ＭＨｚのサブバンドチャネルを介して送信される。より詳細には、ＨＥ−ＳＩＧ−Ｂ１  ３０２は、第１の２０ＭＨｚサブバンドチャネル３２２内に完全に配置された割当（例えば、３１２）のためのリソース割当情報およびユーザ別割当情報を搬送し、一方で、ＨＥ−ＳＩＧ−Ｂ２  ３０４は、第２の２０ＭＨｚサブバンドチャネル３２４内に完全に配置された割当（例えば、３１４）のためのリソース割当情報およびユーザ別割当情報を搬送する。このようにして、たとえ２０ＭＨｚのサブバンドチャネル（例えば３２２）における制御シグナリングが干渉に起因して損なわれたとしても、もう一方の２０ＭＨｚサブバンドチャネル（例えば、３２４）における制御シグナリングは適切に復号することができる。
【００２４】
図４は、ＣＢＷ＝４０ＭＨｚの場合のＨＥパケット１００のＨＥ−ＳＩＧ−Ｂ  １１２のフォーマットの一例を示す。２つのＨＥ−ＳＩＧ−Ｂチャネルフィールドの各々は、共通フィールド４１０とユーザ固有フィールド４５０とを含む。各共通フィールド４１０は、各々が所定の長さを有するリソース割当サブフィールド４１２、ＣＲＣ（周期的冗長検査（Ｃｙｃｌｉｃ  Ｒｅｄｕｎｄａｎｃｙ  Ｃｈｅｃｋ））サブフィールドおよびテイル（tail）ビットサブフィールドを含む。
【００２５】
図３におけるＨＥ−ＳＩＧ−Ｂ１  ３０２に関連して、図４のリソース割当サブフィールド４１２−１は、第１の２０ＭＨｚサブバンドチャネル３２２についての周波数領域（ＭＵ−ＭＩＭＯ関連情報を含む）における特定のＲＵ配置パターンを示すＲＵ配置パターンインデックスを含む。ＲＵ配置パターンインデックスと対応するＲＵ配置パターンとのマッピングは予め定められている。ＲＵ配置パターンインデックスと対応するＲＵ配置パターンとのマッピングの一例が表１に示されている。ＲＵは、２０ＭＨｚのサブバンドチャネル内で周波数領域においてより低い周波数から高い周波数へと配置され、タイプＩ  ＲＵおよびタイプＩＩ  ＲＵは、ＳＵ−ＭＩＭＯ送信にのみ使用することができることに留意されたい。
【００２６】
【表１−１】
2019527494.tif 000003
【表１−２】
2019527494.tif 000004
【００２７】
表１を参照すると、例えば、図３のＨＥ−ＳＩＧ−Ｂ１  ３０２に含まれる図４のリソース割当サブフィールド４１２−１は、第１の２０ＭＨｚサブバンドチャネルの特定のＲＵ配置パターンを示すために２５のＲＵ配置パターンインデックスを含むことができ、ここで、周波数領域において５つのタイプＩ  ＲＵに１つのタイプＩＩＩ  ＲＵが後続し、５つのタイプＩ  ＲＵの各々はＳＵ−ＭＩＭＯ送信に使用され、一方で、タイプＩＩＩ  ＲＵは、２ユーザが多重化されているＭＵ−ＭＩＭＯ送信に使用される。同様に、図３のＨＥ−ＳＩＧ−Ｂ２  ３０４に関連して、図４のリソース割当サブフィールド４１２−２は、第２の２０ＭＨｚサブバンドチャネル３２４についての周波数領域における特定のＲＵ配置パターンを示す別のＲＵ配置パターンインデックスおよびＭＵ−ＭＩＭＯ関連情報を含むことができる。
【００２８】
図４の各ユーザ固有フィールド４５０は、複数のＢＣＣ（２値畳み込み符号化（Ｂｉｎａｒｙ  Ｃｏｎｖｏｌｕｔｉｏｎａｌ  Ｃｏｄｉｎｇ））ブロックを含む。最後のＢＣＣブロックを除く各ＢＣＣブロックは、各々が所定の長さを有する第１のユーザ固有サブフィールドと、第２のユーザ固有サブフィールドと、ＣＲＣサブフィールドと、テイルビットサブフィールドとを含む。最後のＢＣＣブロックは、単一のユーザ固有サブフィールドを含むことができる。ユーザ固有フィールド４５０内のユーザ固有サブフィールドの各々は、ユーザ別割当情報（例えば、アドレス指定のためのＳＴＡ識別子、および空間ストリームの数およびＭＣＳのようなユーザ固有の送信パラメータなど）を搬送する。ＳＵ−ＭＩＭＯ送信のために割り当てられた各ＲＵについて、対応するユーザ固有サブフィールドは１つしかない。Ｋユーザが多重化されたＭＵ−ＭＩＭＯ送信に割り当てられた各ＲＵに対して、Ｋ個の対応するユーザ固有サブフィールドが存在する。１つのＨＥ−ＳＩＧ−Ｂチャネルフィールドのユーザ固有フィールド４５０におけるユーザ固有サブフィールドの順序は、同じＨＥ−ＳＩＧ−Ｂチャネルのリソース割当サブフィールド４１２によってシグナリングされるＲＵ配置パターンに準拠する。１つのＨＥ−ＳＩＧ−Ｂチャネルのユーザ固有フィールド４５０におけるユーザ固有サブフィールドの数は、同じＨＥ−ＳＩＧ−Ｂチャネルのリソース割当サブフィールド４１２から導き出すことができる。
【００２９】
ＨＥ−ＳＩＧ−Ｂ１  ３０２および／またはＨＥ−ＳＩＧ−Ｂ２  ３０４の最後には、ＨＥ−ＳＩＧ−Ｂ１  ３０２とＨＥ−ＳＩＧ−Ｂ２  ３０４との間で最後のシンボルを位置合わせし、同じ継続時間を維持するために、パディングビットを付加することができることに留意されたい。
【００３０】
しかしながら、２つのＨＥ−ＳＩＧ−Ｂチャネルフィールド３０２と３０４との間に重大な負荷不均衡が存在する場合がある（すなわち、パディングビットを付加する前の長さにおいて、１つのＨＥ−ＳＩＧ−Ｂチャネルフィールドが、他方のＨＥ−ＳＩＧ−Ｂチャネルフィールドよりもはるかに長くなる場合がある）。図５の例では、それぞれ６ユーザが多重化されたＭＵ−ＭＩＭＯ送信、ＳＵ−ＭＩＭＯ送信および７ユーザが多重化されたＭＵ−ＭＩＭＯ送信に使用される、第１の２０ＭＨｚサブバンドチャネル３２２にわたる３つの割当がある。ここで、各ＢＣＣブロックは、２つのユーザ固有サブフィールドを含む。したがって、ＨＥ−ＳＩＧ−Ｂ１  ３０２のユーザ固有サブフィールド数Ｎｕｓｓ，１およびＢＣＣブロック数Ｎｂｌｋ，１は、それぞれ１４および７である。他方、第２の２０ＭＨｚサブバンドチャネル３２４にわたっては６つの割当があり、それらの各々がＳＵ−ＭＩＭＯ送信に使用される。したがって、ＨＥ−ＳＩＧ−Ｂ２  ３０４のユーザ固有サブフィールド数Ｎｕｓｓ，２およびＢＣＣブロック数Ｎｂｌｋ，２は、それぞれ６および３である。
−  各共通フィールド５１０は、Ｌｃｆ＝２２ビットの長さを有する、
−  各ユーザ固有サブフィールドは、Ｌｕｓｓ＝２２ビットの長さを有し、２つのユーザ固有サブフィールドを含む各ＢＣＣブロックは、Ｌｂｌｋ＝５４ビットの長さを有する、かつ
−  ＨＥ−ＳＩＧ−Ｂ  １１２に使用されるＭＣＳは、ＨＥ−ＳＩＧ−Ｂシンボル当たりデータビット数ＮＤＢＰＳが５２であるＶＨＴ−ＭＣＳ１（ＩＥＥＥ８０２．１１ａｃ規格参照）である、と仮定する。
【００３１】
したがって、この例のＨＥ−ＳＩＧ−Ｂシンボルの数Ｎｓｙｍは８であり、これは以下の式（１）によって計算することができる。
【００３２】
【数１】
2019527494.tif 000005
【００３３】
式中、
【数２】
2019527494.tif 000006
はｘ以上の最小の整数を表し、以下が成り立つ。
【００３４】
【数３】
2019527494.tif 000007
【００３５】
この例では、ＨＥ−ＳＩＧ−Ｂ１  ３０２とＨＥ−ＳＩＧ−Ｂ２  ３０４との間で同じ継続時間を維持するために、ＨＥ−ＳＩＧ−Ｂ２  ３０４の最後にいくつかのパディングシンボルを付加する必要がある。一方のＨＥ−ＳＩＧ−Ｂチャネルフィールドが他方のＨＥ−ＳＩＧ−Ｂチャネルフィールドよりもはるかに長い場合には、他方のＨＥ−ＳＩＧ−Ｂチャネルフィールドにかなりの数のパディングシンボルが必要であり、結果として制御シグナリングを通知するための相当のオーバーヘッドをもたらしチャネル効率を損なうと結論づけることができる。
【００３６】
次に、ＨＥ−ＳＩＧ−Ｂ  １１２のフォーマットの様々な実施形態をさらに詳細に説明する。これは、制御シグナリングを通知するためのオーバーヘッドを低減し、チャネル効率を大幅に改善することができる。
【００３７】
本開示の第１の態様によれば、ＨＥ−ＳＩＧ−Ｂシンボルの数が最小になるように、パディングビットが付加される前に他方のＨＥ−ＳＩＧ−Ｂチャネルフィールドよりも長い一方のＨＥ−ＳＩＧ−Ｂチャネルフィールドのユーザ固有フィールドの一部が、他方のＨＥ−ＳＩＧ−Ｂチャネルフィールドに移転される。したがって、制御シグナリングを通知するためのオーバーヘッドが低減され、チャネル効率が改善される。ユーザ固有フィールドの移転部分は、他方のＨＥ−ＳＩＧ−Ｂチャネルフィールドの所定の位置に配置される。ユーザ固有フィールドの移転部分は、ユーザ固有フィールドの他の部分を送信するために使用されるものよりもロバストな送信方式を使用して送信することができる。その結果、ＳＴＡは、他方のＨＥ−ＳＩＧ−Ｂチャネルフィールドが干渉に起因してチャネル品質が悪い場合でも、適切にユーザ固有フィールドの移転部分を復号することができる。
【００３８】
＜第１の実施形態＞
本開示の第１の態様によれば、パディングビットを付加する前に他方のＨＥ−ＳＩＧ−Ｂチャネルフィールドよりも長い一方のＨＥ−ＳＩＧ−Ｂチャネルフィールドのユーザ固有フィールドの１つまたは複数の最後のＢＣＣブロックが、他方のＨＥ−ＳＩＧ−Ｂチャネルに移転される。この移転によって、ＨＥ−ＳＩＧ−Ｂシンボルの数が最小限に抑えられる。したがって、制御シグナリングを通知するためのオーバーヘッドが低減され、チャネル効率が改善される。
【００３９】
他方のＨＥ−ＳＩＧ−Ｂチャネルフィールドが干渉に起因して劣悪なチャネル品質を有する場合、対応するＢＣＣブロックが他方のＨＥ−ＳＩＧ−Ｂチャネルに移転されるＳＴＡは、他方のＨＥ−ＳＩＧ−Ｂチャネルフィールドにおけるリソース割当シグナリングを適切に復号することができない場合があり、したがって、他方のＨＥ−ＳＩＧ−Ｂチャネルフィールドの元のＢＣＣブロックの数を決定することはできない。この場合、移転ＢＣＣブロックが、他方のＨＥ−ＳＩＧ−Ｂチャネルフィールドの元のＢＣＣブロックの直後に位置する場合、ＳＴＡは、移転ＢＣＣブロックの開始を判断して適切に復号することができない。
【００４０】
本開示の第１の実施形態によれば、移転ＢＣＣブロックは、他方のＨＥ−ＳＩＧ−Ｂチャネルフィールドの所定の位置（例えば、他方のＨＥ−ＳＩＧ−Ｂチャネルフィールドの終端部）に配置される。移転ＢＣＣブロックは、他方のＨＥ−ＳＩＧ−Ｂチャネルフィールドで１回以上複製されてもよい。その結果、他方のＨＥ−ＳＩＧ−Ｂチャネルフィールドが干渉に起因してチャネル品質が悪い場合でも、ＳＴＡは依然として、移転ＢＣＣブロックを適切に復号することができる。
【００４１】
本開示の第１の実施形態によれば、移転ＢＣＣブロックの数Ｎｒｂｌｋは、以下の式（３）によって計算することができる。
【００４２】
【数４】
2019527494.tif 000008
【００４３】
ここでＲはレペティション係数であり、
【数５】
2019527494.tif 000009
は、ｘ以下の最大の整数を表す。
【００４４】
図６は、本開示の第１の実施形態に係るＣＢＷ＝４０ＭＨｚの場合のＨＥパケット１００のＨＥ−ＳＩＧ−Ｂ  １１２のフォーマットの一例を示す。２つのＨＥ−ＳＩＧ−Ｂチャネルフィールドの各々は、共通フィールド６１０とユーザ固有フィールド６５０とを含む。各共通フィールド６１０は、リソース割当サブフィールド、再配置ＢＣＣブロック数サブフィールド６１４、レペティションサブフィールド６１６、ＣＲＣサブフィールドおよびテイルビットサブフィールドを含む。一方のＨＥ−ＳＩＧ−Ｂチャネルフィールドの再配置ＢＣＣブロック数サブフィールド６１４は、所定の長さを有し、その一方のＨＥ−ＳＩＧ−Ｂチャネルフィールドから他方のＨＥ−ＳＩＧ−Ｂチャネルフィールドへと再配置されているＢＣＣブロックの数を示す。一方のＨＥ−ＳＩＧ−Ｂチャネルのレペティションサブフィールド６１６は、所定の長さを有し、他方のＨＥ−ＳＩＧ−Ｂチャネルフィールドにおいて再配置ＢＣＣブロックが何回複製されたかを示す（すなわち、レペティション係数Ｒの値を示す）。一方のＨＥ−ＳＩＧ−Ｂチャネルフィールドの再配置ＢＣＣブロック数サブフィールド６１４とレペティションサブフィールド６１６の両方に基づいて、ＳＴＡは、他方のＨＥ−ＳＩＧ−Ｂチャネルフィールドにおける再配置ＢＣＣブロックの開始を決定し、レペティション係数Ｒが１より大きい場合、再配置ＢＣＣブロック上でＭＲＣ（最大比合成（Ｍａｘｉｍｕｍ  Ｒａｔｉｏ  Ｃｏｍｂｉｎｉｎｇ））を行い、それらを適切に復号することができる。
【００４５】
図６が図５と同じリソース割り当てに基づいているとすると、ＨＥ−ＳＩＧ−Ｂ１  ３０２のユーザ固有サブフィールド数Ｎｕｓｓ，１およびＢＣＣブロックの数Ｎｂｌｋ，１は、それぞれ１４および７である。したがって、ＨＥ−ＳＩＧ−Ｂ２  ３０４のユーザ固有サブフィールド数Ｎｕｓｓ，２およびＢＣＣブロック数Ｎｂｌｋ，２は、それぞれ６および３である。
−  各共通フィールド６１０は、Ｌｃｆ＝２２ビットの長さを有する、
−  各ユーザ固有サブフィールドは、Ｌｕｓｓ＝２２ビットの長さを有し、２つのユーザ固有サブフィールドを含む各ＢＣＣブロックは、Ｌｂｌｋ＝５４ビットの長さを有する、
−  ＨＥ−ＳＩＧ−Ｂ  １１２に使用されるＭＣＳは、ＮＤＢＰＳ＝５２であるＶＨＴ−ＭＣＳ１である、かつ
−  レペティション係数＝２である、と仮定する。
【００４６】
式（３）からＮｒｂｌｋ＝１を導出することは容易である。したがって、ＨＥ−ＳＩＧ−Ｂシンボルの数Ｎｓｙｍは７になり、これは以下によって計算することができる。
【００４７】
【数６】
2019527494.tif 000010
【００４８】
式中、
【数７】
2019527494.tif 000011
【００４９】
言い換えれば、同じリソース割当に基づいて、第１の実施形態は、必要とするＨＥ−ＳＩＧ−Ｂシンボルを従来技術よりも少なくすることができる。
【００５０】
図６の例では、ＨＥ−ＳＩＧ−Ｂ１  ３０２内の再配置ＢＣＣブロック数サブフィールド６１４−１は、単一の再配置ＢＣＣブロックを示すべきであり、ＨＥ−ＳＩＧ−Ｂ１  ３０２内のレペティションサブフィールド６１６−１は、再配置ＢＣＣブロックが一度複製される（すなわち、レペティション係数Ｒ＝２）ことを示すべきであり、一方で、ＨＥ−ＳＩＧ−Ｂ２  ３０４内の再配置ＢＣＣブロック数サブフィールド６１４−２は、再配置ＢＣＣブロックが存在しないことを示すべきであることに留意されたい。
【００５１】
本開示の第１の実施形態によれば、それぞれの共通フィールド６１０においてＨＥ−ＳＩＧ−Ｂ１  ３０２およびＨＥ−ＳＩＧ−Ｂ２  ３０４の再配置ＢＣＣブロックの数およびレペティション係数Ｒの値をシグナリングする代わりに、ＨＥ−ＳＩＧ−Ａ  １１０において、ＨＥ−ＳＩＧ−Ｂ１  ３０２およびＨＥ−ＳＩＧ−Ｂ２  ３０４の再配置ＢＣＣブロックの数およびレペティション係数Ｒがシグナリングされてもよい。
【００５２】
＜第２の実施形態＞
本開示の第２の実施形態によれば、ＨＥ−ＳＩＧ−Ｂシンボルの数が最小化されるように、パディングビットを付加する前に他方のＨＥ−ＳＩＧ−Ｂチャネルフィールドよりも長い一方のＨＥ−ＳＩＧ−Ｂチャネルフィールドのユーザ固有フィールドの１つまたは複数の最後のＢＣＣブロックが、他方のＨＥ−ＳＩＧ−Ｂチャネルに再配置される。したがって、制御シグナリングを通知するためのオーバーヘッドが低減され、チャネル効率が改善される。
【００５３】
本開示の第２の実施形態によれば、再配置ＢＣＣブロックは、他方のＨＥ−ＳＩＧ−Ｂチャネルフィールドの所定の位置（例えば、他方のＨＥ−ＳＩＧ−Ｂチャネルフィールドの終端部）に配置される。再配置ＢＣＣブロックは、他方のＢＣＣブロックに使用されるＭＣＳよりもロバストなＭＣＳによって送信することができる。その結果、他方のＨＥ−ＳＩＧ−Ｂチャネルフィールドが干渉に起因してチャネル品質が悪い場合でも、ＳＴＡは依然として、再配置ＢＣＣブロックを適切に復号することができる。
【００５４】
本開示の第２の実施形態によれば、再配置ＢＣＣブロックの数Ｎｒｂｌｋは、以下の式（６）によって計算することができる。
【００５５】
【数８】
2019527494.tif 000012
【００５６】
式中、ＮＤＢＰＳ，ｒｂｌｋは、再配置ＢＣＣブロックのシンボルあたりのデータビット数であり、ＮＤＢＰＳ，ｏｂｌｋは、他のＢＣＣブロックのシンボルあたりのデータビット数である。
【００５７】
図７は、本開示の第２の実施形態に係るＣＢＷ＝４０ＭＨｚの場合のＨＥパケット１００のＨＥ−ＳＩＧ−Ｂ  １１２のフォーマットの一例を示す。２つのＨＥ−ＳＩＧ−Ｂチャネルフィールドの各々は、共通フィールド７１０とユーザ固有フィールド７５０とを含む。各共通フィールド７１０は、リソース割当サブフィールド、再配置ＢＣＣブロック数サブフィールド７１４、再配置ＢＣＣブロックＭＣＳサブフィールド７１６、ＣＲＣサブフィールドおよびテイルビットサブフィールドを含む。一方のＨＥ−ＳＩＧ−Ｂチャネルフィールドの再配置ＢＣＣブロック数サブフィールド７１４は、所定の長さを有し、そのＨＥ−ＳＩＧ−Ｂチャネルフィールドから他方のＨＥ−ＳＩＧ−Ｂチャネルフィールドへと再配置されているＢＣＣブロックの数を示す。一方のＨＥ−ＳＩＧ−Ｂチャネルフィールドの再配置ＢＣＣブロックＭＣＳサブフィールド７１６は、所定の長さを有し、他方のＨＥ−ＳＩＧ−Ｂチャネル内の再配置ＢＣＣブロックに使用されるＭＣＳを示す。再配置ＢＣＣブロック以外のＨＥ−ＳＩＧ−Ｂ  １１２内のＢＣＣブロックに使用されるＭＣＳは、ＨＥ−ＳＩＧ−Ａ  １１０内で示すことができることに留意されたい。一方のＨＥ−ＳＩＧ−Ｂチャネルフィールドの再配置ＢＣＣブロック数サブフィールド７１４と再配置ＢＣＣブロックＭＣＳサブフィールド７１６の両方に基づいて、ＳＴＡは、他方のＨＥ−ＳＩＧ−Ｂチャネルフィールドにおける再配置ＢＣＣブロックの開始を決定し、それらを適切に復号することができる。
【００５８】
図７が図５および図６と同じリソース割当に基づいているとすると、ＨＥ−ＳＩＧ−Ｂ１  ３０２のユーザ固有サブフィールドの数Ｎｕｓｓ，１およびＢＣＣブロックの数Ｎｂｌｋ，１は、それぞれ１４および７であり、一方で、ＨＥ−ＳＩＧ−Ｂ２  ３０４のユーザ固有サブフィールドの数Ｎｕｓｓ，２およびＢＣＣブロックの数Ｎｂｌｋ，２は、それぞれ６および３である。
−  各共通フィールド７１０は、Ｌｃｆ＝２２ビットの長さを有する、
−  各ユーザ固有サブフィールドは、Ｌｕｓｓ＝２２ビットの長さを有し、２つのユーザ固有サブフィールドを含む各ＢＣＣブロックは、Ｌｂｌｋ＝５４ビットの長さを有する、
−  再配置ＢＣＣブロックに使用されるＭＣＳは、ＮＤＢＰＳ，  ｒｂｌｋ＝２６であるＶＨＴ−ＭＣＳ０である、かつ
−  他方のＢＣＣブロックに使用されるＭＣＳは、ＮＤＢＰＳ，ｏｂｌｋ＝５２であるＶＨＴ−ＭＣＳ１である、と仮定する。
【００５９】
式（６）からＮｒｂｌｋ＝１を導出することは容易である。したがって、ＨＥ−ＳＩＧ−Ｂシンボルの数Ｎｓｙｍは７になり、これは以下によって計算することができる。
【００６０】
【数９】
2019527494.tif 000013
【００６１】
式中、
【数１０】
2019527494.tif 000014
【００６２】
言い換えれば、同じリソース割当に基づいて、第２の実施形態は、必要とするＨＥ−ＳＩＧ−Ｂシンボルを従来技術よりも少なくすることができる。
【００６３】
図７の例では、ＨＥ−ＳＩＧ−Ｂ１  ３０２内の再配置ＢＣＣブロック数サブフィールド７１４−１は、単一の再配置ＢＣＣブロックを示すべきであり、ＨＥ−ＳＩＧ−Ｂ１  ３０２内の再配置ＢＣＣブロックＭＣＳサブフィールド７１６−１は、ＶＨＴ−ＭＣＳ０を示すべきであり、一方で、ＨＥ−ＳＩＧ−Ｂ２  ３０４内の再配置ＢＣＣブロック数サブフィールド７１４−２は、再配置ＢＣＣブロックが存在しないことを示すべきであることに留意されたい。
【００６４】
本開示の第２の実施形態によれば、それぞれの共通フィールド７１０においてＨＥ−ＳＩＧ−Ｂ１  ３０２およびＨＥ−ＳＩＧ−Ｂ２  ３０４の再配置ＢＣＣブロックの数および再配置ＢＣＣブロックのＭＣＳをシグナリングする代わりに、ＨＥ−ＳＩＧ−Ａ  １１０において、ＨＥ−ＳＩＧ−Ｂ１  ３０２およびＨＥ−ＳＩＧ−Ｂ２  ３０４の再配置ＢＣＣブロックの数および再配置ＢＣＣブロックのＭＣＳがシグナリングされてもよい。
【００６５】
＜第３の実施形態＞
本開示の第３の実施形態によれば、ＨＥ−ＳＩＧ−Ｂシンボルの数が最小化されるように、パディングビットを付加する前に他方のＨＥ−ＳＩＧ−Ｂチャネルフィールドよりも長い一方のＨＥ−ＳＩＧ−Ｂチャネルフィールドのユーザ固有フィールドの１つまたは複数の最後のＢＣＣブロックが、他方のＨＥ−ＳＩＧ−Ｂチャネルに再配置される。したがって、制御シグナリングを通知するためのオーバーヘッドが低減され、チャネル効率が改善される。
【００６６】
本開示の第３の実施形態によれば、再配置ＢＣＣブロックは、他方のＨＥ−ＳＩＧ−Ｂチャネルフィールドの所定の位置（例えば、他方のＨＥ−ＳＩＧ−Ｂチャネルフィールドの終端部）に配置される。再配置ＢＣＣブロックは、他のＢＣＣブロックよりも高い電力で送信することができる。その結果、他方のＨＥ−ＳＩＧ−Ｂチャネルフィールドが干渉に起因してチャネル品質が悪い場合でも、ＳＴＡは依然として、再配置ＢＣＣブロックを適切に復号することができる。しかし、再配置ＢＣＣブロックの電力ブーストは、より高いＰＡＰＲ（ピーク対平均電力比（Ｐｅａｋ−ｔｏ−Ａｖｅｒａｇｅ  Ｐｏｗｅｒ  Ｒａｔｉｏ））をもたらす可能性がある。
【００６７】
本開示の第３の実施形態によれば、再配置ＢＣＣブロックの数Ｎｒｂｌｋは、以下の式（９）によって計算することができる。
【００６８】
【数１１】
2019527494.tif 000015
【００６９】
図８は、本開示の第３の実施形態に係るＣＢＷ＝４０ＭＨｚの場合のＨＥパケット１００のＨＥ−ＳＩＧ−Ｂ  １１２のフォーマットの一例を示す。２つのＨＥ−ＳＩＧ−Ｂチャネルの各々は、共通フィールド８１０とユーザ固有フィールド８５０とを含む。各共通フィールド８１０は、リソース割当サブフィールド、再配置ＢＣＣブロック数サブフィールド８１４、ＣＲＣサブフィールドおよびテイルビットサブフィールドを含む。一方のＨＥ−ＳＩＧ−Ｂチャネルフィールドの再配置ＢＣＣブロック数サブフィールド８１４は、所定の長さを有し、そのＨＥ−ＳＩＧ−Ｂチャネルフィールドから他方のＨＥ−ＳＩＧ−Ｂチャネルフィールドへと再配置されているＢＣＣブロックの数を示す。一方のＨＥ−ＳＩＧ−Ｂチャネルフィールドの再配置ＢＣＣブロック数サブフィールド８１４に基づいて、ＳＴＡは、他方のＨＥ−ＳＩＧ−Ｂチャネルフィールドにおける再配置ＢＣＣブロックの開始を決定し、それらを適切に復号することができる。
【００７０】
図８が図５〜図７と同じリソース割り当てに基づいているとすると、ＨＥ−ＳＩＧ−Ｂ１  ３０２のユーザ固有サブフィールド数Ｎｕｓｓ，１およびＢＣＣブロックの数Ｎｂｌｋ，１は、それぞれ１４および７である。したがって、ＨＥ−ＳＩＧ−Ｂ２  ３０４のユーザ固有サブフィールド数Ｎｕｓｓ，２およびＢＣＣブロック数Ｎｂｌｋ，２は、それぞれ６および３である。
−  各共通フィールド８１０は、Ｌｃｆ＝２２ビットの長さを有する、
−  各ユーザ固有サブフィールドは、Ｌｕｓｓ＝２２ビットの長さを有し、２つのユーザ固有サブフィールドを含む各ＢＣＣブロックは、Ｌｂｌｋ＝５４ビットの長さを有する、かつ
−  ＨＥ−ＳＩＧ−Ｂ  １１２に使用されるＭＣＳは、ＮＤＢＰＳ＝５２であるＶＨＴ−ＭＣＳ１である、と仮定する。
【００７１】
式（９）からＮｒｂｌｋ＝２を導出することは容易である。したがって、ＨＥ−ＳＩＧ−Ｂシンボルの数Ｎｓｙｍは６になり、これは以下によって計算することができる。
【００７２】
【数１２】
2019527494.tif 000016
【００７３】
式中、
【数１３】
2019527494.tif 000017
【００７４】
言い換えれば、同じリソース割当に基づいて、第３の実施形態は、必要とするＨＥ−ＳＩＧ−Ｂシンボルを従来技術，第１の実施形態または第２の実施形態よりも少なくすることができる。
【００７５】
図８の例では、ＨＥ−ＳＩＧ−Ｂ１  ３０２内の再配置ＢＣＣブロック数サブフィールド８１４−１は、単一の再配置ＢＣＣブロックを示すべきであり、一方で、ＨＥ−ＳＩＧ−Ｂ２  ３０４内の再配置ＢＣＣブロック数サブフィールド８１４−２は、再配置ＢＣＣブロックが存在しないことを示すべきであることに留意されたい。
【００７６】
本開示の第３の実施形態によれば、それぞれの共通フィールド８１０においてＨＥ−ＳＩＧ−Ｂ１  ３０２およびＨＥ−ＳＩＧ−Ｂ２  ３０４の再配置ＢＣＣブロックの数をシグナリングする代わりに、ＨＥ−ＳＩＧ−Ａ  １１０において、ＨＥ−ＳＩＧ−Ｂ１  ３０２およびＨＥ−ＳＩＧ−Ｂ２  ３０４の再配置ＢＣＣブロックの数がシグナリングされてもよい。
【００７７】
本開示の最初の３つの実施形態によれば、２つのＨＥ−ＳＩＧ−Ｂチャネルフィールド（第２の実施形態における再配置ＢＣＣブロックを除く）は、ＨＥ−ＳＩＧ−Ａ  １１０においてシグナリングされる同じＭＣＳを利用する。２つのＨＥ−ＳＩＧ−Ｂチャネルフィールドのこの共通のＭＣＳは、第１の２０ＭＨｚサブバンドチャネル３２２と第２の２０ＭＨｚサブバンドチャネル３２４の両方でスケジューリングされるすべてのＳＴＡが、許容可能な確率（例えば、９０％）でＨＥ−ＳＩＧ−Ｂ  １１２の復号に成功するように決定されるべきである。
【００７８】
本開示の第２の態様によれば、一方のＨＥ−ＳＩＧ−ＢチャネルフィールドのＭＣＳは、他方のＨＥ−ＳＩＧ−Ｂチャネルフィールドのために使用されるＭＣＳとは異なる場合がある。さらに、ＨＥ−ＳＩＧ−Ｂシンボルの数が最小化されるように、他方のＨＥ−ＳＩＧ−Ｂチャネルフィールドより長い一方のＨＥ−ＳＩＧ−Ｂチャネルフィールドに使用されるＭＣＳは、他方のＨＥ−ＳＩＧ−Ｂチャネルフィールドに使用されるＭＣＳよりもロバスト性を低くすることができる。したがって、制御シグナリングを通知するためのオーバーヘッドが低減され、チャネル効率が改善される。
【００７９】
＜第４の実施形態＞
本開示の第４の実施形態によれば、第１のＭＣＳおよび第２のＭＣＳが、それぞれＨＥ−ＳＩＧ−Ｂ１  ３０２およびＨＥ−ＳＩＧ−Ｂ２  ３０４に使用される。ＨＥ−ＳＩＧ−Ｂ１  ３０２の第１のＭＣＳは、第１の２０ＭＨｚサブバンドチャネル３２２内でスケジュールされるＳＴＡがＨＥ−ＳＩＧ−Ｂ１  ３０２の復号に成功する確率が許容可能である（例えば、９０％）ように決定されるべきである。同様に、ＨＥ−ＳＩＧ−Ｂ２  ３０４の第２のＭＣＳは、第２の２０ＭＨｚサブバンドチャネル３２４内でスケジュールされるＳＴＡが、ＨＥ−ＳＩＧ−Ｂ２  ３０４の復号に成功する確率が許容可能である（例えば、９０％）ように決定されるべきである。ＨＥ−ＳＩＧ−Ｂ１  ３０２に使用される第１のＭＣＳまたはＨＥ−ＳＩＧ−Ｂ２  ３０４に使用される第２のＭＣＳは、第１の２０ＭＨｚサブバンドチャネル３２２と第２の２０ＭＨｚサブバンドチャネル３２４の両方においてスケジューリングされるＳＴＡの一部分のみを考慮に入れるため、ＨＥ−ＳＩＧ−Ｂ１  ３０２に使用される第１のＭＣＳおよびＨＥ−ＳＩＧ−Ｂ２  ３０４に使用される第２のＭＣＳのうちの１つは、最初の３つの実施形態で使用される共通のＭＣＳよりもロバスト性を低くすることができる。最初の３つの実施形態と異なり、本開示の第４の実施形態によれば、ＨＥ−ＳＩＧ−Ｂ１  ３０２またはＨＥ−ＳＩＧ−Ｂ２  ３０４のいずれのＢＣＣブロックも再配置する必要がないことに留意されたい。
【００８０】
本開示の第４の実施形態によれば、ＨＥ−ＳＩＧ−Ｂシンボルの数を示すシグナリングに加えて、ＨＥ−ＳＩＧ−Ａ  １１０には、ＨＥ−ＳＩＧ−Ｂ１  ３０２に使用される第１のＭＣＳおよびＨＥ−ＳＩＧ−Ｂ２  ３０４に使用される第２のＭＣＳを示すシグナリングが必要である。このようなシグナリングに基づいて、ＳＴＡは２つのＨＥ−ＳＩＧ−Ｂチャネルフィールドを適切に復号することができる。
【００８１】
本開示の第４の実施形態によれば、パディングビットを付加する前に、ＨＥ−ＳＩＧ−Ｂ１  ３０２がＨＥ−ＳＩＧ−Ｂ２  ３０４よりもはるかに長い（すなわち、ＨＥ−ＳＩＧ−Ｂ１  ３０２が、ＨＥ−ＳＩＧ−Ｂ２  ３０４よりもはるかに多いユーザ固有サブフィールドを含む）場合、ＨＥ−ＳＩＧ−Ｂ１  ３０２に使用される第１のＭＣＳは、ＨＥ−ＳＩＧ−Ｂ２  ３０４に使用される第２のＭＣＳよりロバスト性を低く設定することができ、これにより、ＨＥ−ＳＩＧ−Ｂシンボルの数が最小化される。したがって、制御シグナリングを通知するためのオーバーヘッドが低減され、チャネル効率が改善される。パディングビットを付加する前にＨＥ−ＳＩＧ−Ｂ２  ３０４がＨＥ−ＳＩＧ−Ｂ１  ３０２よりもはるかに長い場合、ＨＥ−ＳＩＧ−Ｂ２  ３０４に使用される第２のＭＣＳは、ＨＥ−ＳＩＧ−Ｂ１  ３０２に使用される第１のＭＣＳよりもロバスト性を低く設定することができ、これにより、ＨＥ−ＳＩＧ−Ｂシンボルの数が最小になり、チャネル効率が改善される。ＨＥ−ＳＩＧ−Ｂ２  ３０４の長さがＨＥ−ＳＩＧ−Ｂ１  ３０２と同程度である場合、ＨＥ−ＳＩＧ−Ｂ１  ３０２に使用される第１のＭＣＳは、ＨＥ−ＳＩＧ−Ｂ２  ３０４に使用される第２のＭＣＳと同じであるように設定することができる。
【００８２】
図９は、本開示の第４の実施形態に係るＣＢＷ＝４０ＭＨｚの場合のＨＥ−ＳＩＧ−Ｂ  １１２のフォーマットの一例を示す。２つのＨＥ−ＳＩＧ−Ｂチャネルの各々は、共通フィールド９１０とユーザ固有フィールド９５０とを含む。
【００８３】
図９が図５〜図８と同じリソース割り当てに基づいているとすると、ＨＥ−ＳＩＧ−Ｂ１  ３０２のユーザ固有サブフィールド数Ｎｕｓｓ，１およびＢＣＣブロックの数Ｎｂｌｋ，１は、それぞれ１４および７である。したがって、ＨＥ−ＳＩＧ−Ｂ２  ３０４のユーザ固有サブフィールド数Ｎｕｓｓ，２およびＢＣＣブロック数Ｎｂｌｋ，２は、それぞれ６および３である。この例においてはパディングビットを付加する前にＨＥ−ＳＩＧ−Ｂ１  ３０２がＨＥ−ＳＩＧ−Ｂ２  ３０４よりもはるかに長いため、ＨＥ−ＳＩＧ−Ｂ１  ３０２に使用される第１のＭＣＳは、ＨＥ−ＳＩＧ−Ｂ２  ３０４に使用される第２のＭＣＳよりもロバスト性が低く設定され、これにより、ＨＥ−ＳＩＧ−Ｂシンボルの数が最小になる。例えば、ＨＥ−ＳＩＧ−Ｂ１  ３０２に使用される第１のＭＣＳは、ＶＨＴ−ＭＣＳ２に設定され、ここで、ＮＤＢＰＳ，１＝７８であり、ＨＥ−ＳＩＧ−Ｂ２  ３０４に使用される第２のＭＣＳは、ＶＨＴ−ＭＣＳ１に設定され、ここで、ＮＤＢＰＳ，２＝５２である。
−  各共通フィールド９１０は、Ｌｃｆ＝２２ビットの長さを有する、
−  各ユーザ固有サブフィールドは、Ｌｕｓｓ＝２２ビットの長さを有し、かつ、２つのユーザ固有サブフィールドを含む各ＢＣＣブロックは、Ｌｂｌｋ＝５４ビットの長さを有する、と仮定する。
【００８４】
したがって、ＨＥ−ＳＩＧ−Ｂシンボルの数Ｎｓｙｍは６になり、これは以下によって計算することができる。
【００８５】
【数１４】
2019527494.tif 000018
【００８６】
式中、
【数１５】
2019527494.tif 000019
【００８７】
言い換えれば、同じリソース割当に基づいて、第４の実施形態は、必要とするＨＥ−ＳＩＧ−Ｂシンボルを従来技術，第１の実施形態または第２の実施形態よりも少なくすることができる。
【００８８】
本開示の第３の態様によれば、いくつかの特定のリソース割当については、２つのＨＥ−ＳＩＧ−Ｂチャネルフィールドの各々の共通フィールド（リソース割当シグナリングを含む）を無視することができ、これにより、ＨＥ−ＳＩＧ−Ｂシンボルの数が最小化される。したがって、制御シグナリングを通知するためのオーバーヘッドが低減され、チャネル効率が改善される。
【００８９】
＜第５の実施形態＞
本開示の第５の実施形態によれば、特定のタイプの単一のＲＵ（例えばタイプＩＶ  ＲＵ）が第１の２０ＭＨｚサブバンドチャネル３２２および第２の２０ＭＨｚサブバンドチャネル３２４の各々にわたって割り当てられ、同じ数のユーザが第１の２０ＭＨｚサブバンドチャネル３２２および第２の２０ＭＨｚサブバンドチャネル３２４の各々においてスケジューリングされる場合、２つのＨＥ−ＳＩＧ−Ｂチャネルフィールドの各々はユーザ固有フィールドのみを含むことができ、これにより、ＨＥ−ＳＩＧ−Ｂシンボルの数が最小になる。したがって、制御シグナリングを通知するためのオーバーヘッドが低減され、チャネル効率が改善される。
【００９０】
図１０は、本開示の第５の実施形態に係るＣＢＷ＝４０ＭＨｚの場合のＨＥパケット１００のＨＥ−ＳＩＧ−Ｂ  １１２のフォーマットの一例を示す。この例では、６ユーザが多重化されたＭＵ−ＭＩＭＯ送信に使用される単一のタイプＩＶ  ＲＵが、第１の２０ＭＨｚサブバンドチャネル３２２および第２の２０ＭＨｚサブバンドチャネル３２４の各々にわたって割り当てられる。したがって、ＨＥ−ＳＩＧ−Ｂ１  ３０２およびＨＥ−ＳＩＧ−Ｂ２  ３０４の各々は、ユーザ固有フィールド１０５０のみを含む。ユーザ固有サブフィールドの数ＮｕｓｓおよびＨＥ−ＳＩＧ−ＢチャネルフィールドあたりのＢＣＣブロックの数Ｎｂｌｋは、それぞれ６および３である。
−  各ユーザ固有サブフィールドは、Ｌｕｓｓ＝２２ビットの長さを有し、２つのユーザ固有サブフィールドを含む各ＢＣＣブロックは、Ｌｂｌｋ＝５４ビットの長さを有する、かつ
−  ＨＥ−ＳＩＧ−Ｂ  １１２に使用されるＭＣＳは、ＮＤＢＰＳ＝５２であるＶＨＴ−ＭＣＳ１である、と仮定する。
【００９１】
したがって、ＨＥ−ＳＩＧ−Ｂシンボルの数Ｎｓｙｍは４であり、これは以下によって計算することができる。
【００９２】
【数１６】
2019527494.tif 000020
【００９３】
式中、
【数１７】
2019527494.tif 000021
【００９４】
本開示の第５の実施形態によれば、ＨＥ−ＳＩＧ−Ｂシンボルの数およびＨＥ−ＳＩＧ−Ｂ  １１２に使用されるＭＣＳを示すシグナリングに加えて、特定のタイプの単一のＲＵが第１の２０ＭＨｚサブバンドチャネル３２２および第２の２０ＭＨｚサブバンドチャネル３２４の各々にわたって割り当てられ、同じ数のユーザが第１の２０ＭＨｚサブバンドチャネル３２２および第２の２０ＭＨｚサブバンドチャネル３２４の各々においてスケジューリングされる特定のリソース割当の存在を示すシグナリングが、ＨＥ−ＳＩＧ−Ａ  １１０内に必要とされる。このようなシグナリングに基づいて、ＳＴＡはＨＥ−ＳＩＧ−Ｂ  １１２を適切に復号することができる。
【００９５】
本開示の第５の実施形態によれば、２つのＨＥ−ＳＩＧ−Ｂチャネル内にリソース割当シグナリングが存在しないため、ＳＴＡは、ＨＥ−ＳＩＧ−Ｂチャネルフィールドあたりのユーザ固有サブフィールドの数Ｎｕｓｓを決定できない場合がある。ＨＥ−ＳＩＧ−ＢシンボルＮｓｙｍの数、ＨＥ−ＳＩＧ−Ｂ  １１２に使用されるＭＣＳ、およびαの値が与えられると、ＨＥ−ＳＩＧ−Ｂチャネルフィールドあたりのユーザ固有サブフィールドの数は、以下によって決定することができる。
【００９６】
【数１８】
2019527494.tif 000022
【００９７】
式中、
【数１９】
2019527494.tif 000023
【００９８】
言い換えれば、ＳＴＡがＨＥ−ＳＩＧ−Ｂチャネルフィールド当たりのユーザ固有サブフィールドの数Ｎｕｓｓを決定するのを支援する目的で、ＨＥ−ＳＩＧ−Ａ  １１０において、αｉの値を示すために（すなわち、ＨＥ−ＳＩＧ−Ｂチャネルフィールド毎に偶数個のユーザ固有サブフィールドが存在するか否か、または等価的に、第１の２０ＭＨｚサブバンドチャネル３２２および第２の２０ＭＨｚサブバンドチャネル３２４の各々において偶数のユーザがスケジューリングされているか否かを示すために）シグナリングが必要とされ得る。
【００９９】
＜第６の実施形態＞
本開示の第６の実施形態によれば、第１の２０ＭＨｚサブバンドチャネル３２２および第２の２０ＭＨｚサブバンドチャネル３２４をカバーする４０ＭＨｚ帯域幅全体がＭＵ−ＭＩＭＯ送信に割り当てられる場合、２つのＨＥ−ＳＩＧ−Ｂチャネルフィールドの各々は、ユーザ固有フィールドのみを含むことができる。さらに、ユーザ固有サブフィールドは、効率的な負荷平衡のために２つのＨＥ−ＳＩＧ−Ｂチャネルフィールド間で公平に分割される。より詳細には、Ｋユーザが多重化されたＭＵ−ＭＩＭＯ送信の場合、最初の
【数２０】
2019527494.tif 000024
個のユーザ固有サブフィールドがＨＥ−ＳＩＧ−Ｂ１  ３０２内に存在し、残りの
【数２１】
2019527494.tif 000025
個のユーザ固有サブフィールドがＨＥ−ＳＩＧ−Ｂ２  ３０４内に存在する。その結果、ＨＥ−ＳＩＧ−Ｂシンボルの数が最小限に抑えられ、したがって、制御シグナリングを通知するためのオーバーヘッドが低減され、チャネル効率が改善される。
【０１００】
図１１は、本開示の第６の実施形態に係るＣＢＷ＝４０ＭＨｚの場合のＨＥパケット１００のＨＥ−ＳＩＧ−Ｂ  １１２のフォーマットの一例を示す。この例では、第１の２０ＭＨｚサブバンドチャネル３２２と第２の２０ＭＨｚサブバンドチャネル３２４の両方をカバーする４０ＭＨｚ帯域幅全体が、７ユーザが多重化されたＭＵ−ＭＩＭＯ送信に割り当てられる。したがって、ＨＥ−ＳＩＧ−Ｂ１  ３２２およびＨＥ−ＳＩＧ−Ｂ２  ３０４の各々は、ユーザ固有フィールド１１５０のみを含む。ＨＥ−ＳＩＧ−Ｂ１  ３０２のユーザ固有サブフィールド数Ｎｕｓｓ，１およびＢＣＣブロック数Ｎｂｌｋ，１は、それぞれ４および２である。ＨＥ−ＳＩＧ−Ｂ２  ３０４のユーザ固有サブフィールド数Ｎｕｓｓ，２およびＢＣＣブロック数Ｎｂｌｋ，２は、それぞれ３および２である。
−  各ユーザ固有サブフィールドは、Ｌｕｓｓ＝２２ビットの長さを有し、２つのユーザ固有サブフィールドを含む各ＢＣＣブロックは、Ｌｂｌｋ＝５４ビットの長さを有する、かつ
−  ＨＥ−ＳＩＧ−Ｂ  １１２に使用されるＭＣＳは、ＮＤＢＰＳ＝５２であるＶＨＴ−ＭＣＳ１である、と仮定する。
【０１０１】
したがって、ＨＥ−ＳＩＧ−Ｂシンボルの数Ｎｓｙｍは３であり、これは以下によって計算することができる。
【０１０２】
【数２２】
2019527494.tif 000026
【０１０３】
式中、
【数２３】
2019527494.tif 000027
【０１０４】
本開示の第６の実施形態によれば、ＨＥ−ＳＩＧ−Ｂシンボルの数およびＨＥ−ＳＩＧ−Ｂ  １１２に使用されるＭＣＳを示すシグナリングに加えて、ＭＵ−ＭＩＭＯ送信のためにチャネル帯域幅全体が割り当てられる特定のリソース割当の存在を示すシグナリングが、ＨＥ−ＳＩＧ−Ａ  １１０において必要とされる。このようなシグナリングに基づいて、ＳＴＡはＨＥ−ＳＩＧ−Ｂ  １１２を適切に復号することができる。
【０１０５】
本開示の第６の実施形態によれば、２つのＨＥ−ＳＩＧ−Ｂチャネル内にリソース割当シグナリングが存在しないため、ＳＴＡは、ＨＥ−ＳＩＧ−Ｂ１  ３０２におけるユーザ固有サブフィールド数Ｎｕｓｓ，１およびＨＥ−ＳＩＧ−Ｂ２  ３０４内のユーザ固有サブフィールド数Ｎｕｓｓ，２の数を決定できない場合がある。ＨＥ−ＳＩＧ−ＢシンボルＮｓｙｍの数、ＨＥ−ＳＩＧ−Ｂ  １１２に使用されるＭＣＳ、およびαの値が与えられると、ＨＥ−ＳＩＧ−Ｂ１  ３０２内のユーザ固有サブフィールドＮｕｓｓ，１の数は、以下の式（２０）によって決定することができる。
【０１０６】
【数２４】
2019527494.tif 000028
【０１０７】
式中、
【数２５】
2019527494.tif 000029
【０１０８】
ＨＥ−ＳＩＧ−Ｂ２  ３０４内のユーザ固有サブフィールドの数Ｎｕｓｓ，２は、以下の式（２２）によって決定することができる。
【０１０９】
【数２６】
2019527494.tif 000030
【０１１０】
式中、
【数２７】
2019527494.tif 000031
【０１１１】
言い換えれば、ＳＴＡがＨＥ−ＳＩＧ−Ｂ１  ３０２内のユーザ固有サブフィールドの数Ｎｕｓｓ，１およびＨＥ−ＳＩＧ−Ｂ２  ３０４内のユーザ固有サブフィールドの数Ｎｕｓｓ，２を決定するのを支援する目的で、ＨＥ−ＳＩＧ−Ａ  １１０において、αの値を示すために（すなわち、ＨＥ−ＳＩＧ−Ｂ１  ３０２内に偶数個のユーザ固有サブフィールドが存在するか否かを示すために）、および、βの値を示すために（すなわち、ＨＥ−ＳＩＧ−Ｂ１  ３０２とＨＥ−ＳＩＧ−Ｂ２  ３０４の両方の中に等しい数のユーザ固有サブフィールドが存在する否かを示すために）シグナリングが必要とされ得る。代替的に、ＨＥ−ＳＩＧ−Ａ  １１０において、ＭＵ−ＭＩＭＯ送信内で多重化されているユーザの数を４で除算した余りを示すために、シグナリングが必要とされ得る。０に等しい余りは、α＝０かつβ＝０を意味する。１に等しい余りは、α＝１かつβ＝１を意味する。２に等しい余りは、α＝１かつβ＝０を意味する。３に等しい余りは、α＝０かつβ＝１を意味する。
【０１１２】
＜ＨＥ−ＳＩＧ−ＡにおけるＨＥ−ＳＩＧ−Ｂ関連シグナリングフィールド＞
提案されているＩＥＥＥ８０２．１１ａｘ暫定仕様書［非特許文献５参照］によれば、表２に示されるＨＥ−ＳＩＧ−Ａ１１０内のシグナリングフィールドは、ＨＥ−ＳＩＧ−Ｂ１１２に関する必要な情報を提供する。
【０１１３】
【表２】
2019527494.tif 000032
【０１１４】
提案されているＩＥＥＥ  ８０２．１１ａｘ暫定仕様書［非特許文献  ５参照］によれば、ＤＣＭ（デュアルサブキャリア変調（Ｄｕａｌ  ｓｕｂ−Ｃａｒｒｉｅｒ  Ｍｏｄｕｌａｔｉｏｎ））は、ＭＣＳ０、ＭＣＳ１、ＭＣＳ３およびＭＣＳ４にのみ適用可能である。
【０１１５】
提案されているＩＥＥＥ  ８０２．１１ａｘ暫定仕様書［非特許文献５参照］によれば、全帯域ＭＵ−ＭＩＭＯ送信における空間多重化ユーザの数は最大８である。
【０１１６】
提案されているＩＥＥＥ８０２．１１ａｘ暫定仕様書［非特許文献５参照］によれば、ＨＥ−ＳＩＧ−Ｂ１１２内の各ユーザ固有サブフィールドのビット長は２１であり、ＨＥ−ＳＩＧ−Ｂ１１２内の単一のユーザ固有サブフィールドを含む各ＢＣＣブロックのビット長は３１であり、そして、ＨＥ−ＳＩＧ−Ｂ１１２内の２つのユーザ固有サブフィールドを含むＢＣＣブロックのビット長は５２で、これはＨＥ−ＳＩＧ−Ｂシンボルあたりのデータサブキャリアの数とまったく同じである。
【０１１７】
＜第７の実施形態＞
本開示の第７の実施形態は、全帯域幅ＭＵ−ＭＩＭＯ送信の場合に第６の実施形態とまったく同じ圧縮ＨＥ−ＳＩＧ−Ｂ構造を採用する。しかしながら、第７の実施形態は、圧縮ＨＥ−ＳＩＧ−Ｂ１１２に対するＨＥ−ＳＩＧ−Ａ１１０において、第６の実施形態とは異なるシグナリングサポートを指定する。
【０１１８】
表３に示すように、圧縮ＨＥ−ＳＩＧ−Ｂ１１２について、ＨＥ−ＳＩＧ−Ｂシンボルの数は、ＨＥ−ＳＩＧ−Ｂ１１２のために使用されるＭＣＳ、および、ＨＥ−ＳＩＧ−Ｂ１１２内のユーザ固有サブフィールドの数ＮＳＳＳ，１に等しい全帯域幅ＭＵ−ＭＩＭＯ送信の空間多重化ユーザの数に依存することに留意されたい。表３から、圧縮ＨＥ−ＳＩＧ−Ｂ１１２のＨＥ−ＳＩＧ−Ｂシンボルの最大数は８であることが分かる。結果として、圧縮ＨＥ−ＳＩＧ−Ｂ１１２のＨＥ−ＳＩＧ−Ｂシンボルの数を示すには、ＨＥ−ＳＩＧ−Ａ１１０内の４ビットＳＩＧＢシンボル数フィールドのうち３ビットで十分であり、したがって、ＨＥ−ＳＩＧ−Ａ１１０内の４ビットＳＩＧＢシンボル数フィールドの残りの１ビットは、他の目的のために使用することができる。また、表３から、ＭＣＳ２、ＭＣＳ４およびＭＣＳ５は、圧縮ＨＥ−ＳＩＧ−Ｂ１１２には必要でない場合があることも分かる。これは、全帯域幅ＭＵ−ＭＩＭＯ送信における空間多重化ユーザの数が同じである場合、ＤＣＭが適用されるＭＣＳ４は、ＤＣＭが適用されるＭＣＳ３と同じ数のＨＥ−ＳＩＧ−Ｂシンボルを必要とし、ＤＣＭが適用されないＭＣＳ４またはＭＣＳ５は、ＤＣＭが適用されないＭＣＳ３と同じ数のＨＥ−ＳＩＧ−Ｂシンボルの数を必要とし、ＭＣＳ２はＤＣＭが適用されないＭＣＳ１と同じ数のＨＥ−ＳＩＧ−Ｂシンボルを必要とするためである。結果として、圧縮ＨＥ−ＳＩＧ−Ｂ１１２に使用されるＭＣＳを示すには、ＨＥ−ＳＩＧ−Ａ１１０内の３ビットＳＩＧＢ  ＭＣＳフィールドのうち２ビットで十分であり、したがって、ＨＥ−ＳＩＧ−Ａ１１０内の３ビットＳＩＧＢ  ＭＣＳフィールドの残りの１ビットは、他の目的のために使用することもできる。
【０１１９】
【表３】
2019527494.tif 000033
【０１２０】
本開示の第７の実施形態によれば、ＨＥ−ＳＩＧ−Ａ  １１０のＳＩＧＢ圧縮フィールドが１に設定されるときに、全帯域幅ＭＵ−ＭＩＭＯ送信における空間多重化ユーザの数を示すために、３ビットシグナリングがＨＥ−ＳＩＧ−Ａ１１０内で搬送される。
【０１２１】
一実施形態では、３つのシグナリングビットのうちの１つが、ＨＥ−ＳＩＧ−Ａ１１０内の４ビットＳＩＧＢシンボル数フィールドの所定ビット、例えばＭＳＢ（最上位ビット）を再利用する。一実施形態では、３つのシグナリングビットのうちの１つが、ＨＥ−ＳＩＧ−Ａ１１０内の３ビットＳＩＧＢ  ＭＣＳフィールドの所定ビット、例えばＭＳＢを再利用する。いずれの場合も、ＨＥ−ＳＩＧ−Ａ１１０において２つの追加のシグナリングビットしか必要とされない。これによって、全帯域幅ＭＵ−ＭＩＭＯ送信における空間多重化ユーザの数をＨＥ−ＳＩＧ−Ａ１１０内で直接シグナリングすることと比較して、１つのシグナリングビットが節約される。例えば、表４に示すように、ＨＥ−ＳＩＧ−Ａ１１０内の４ビットのＳＩＧＢシンボル数フィールドのＭＳＢが再利用されて、ＨＥ−ＳＩＧ−Ｂ１  ３０２とＨＥ−ＳＩＧ−Ｂ２  ３０４の両方に等しい数のユーザ固有サブフィールドがあるか否かが示される。２つの追加のシグナリングビットが、ＨＥ−ＳＩＧ−Ｂ１  ３０２内のユーザ固有サブフィールドの数（すなわち、Ｎｕｓｓ，１）を示すために使用される。受信部は、以下の式（２４）によって、全帯域幅ＭＵ−ＭＩＭＯ送信における空間多重化ユーザの数を決定することができる。
【０１２２】
【数２８】
2019527494.tif 000034
【０１２３】
ここで、ＨＥ−ＳＩＧ−Ｂ１  ３０２とＨＥ−ＳＩＧ−Ｂ２  ３０４の両方が同じ数のユーザ固有サブフィールドを有する場合、βはゼロに等しい。その他の場合、βは１に等しい。
【０１２４】
【表４】
2019527494.tif 000035
【０１２５】
一実施形態では、３つのシグナリングビットのうちの２つが、ＨＥ−ＳＩＧ−Ａ１１０内の４ビットＳＩＧＢシンボル数フィールドの所定のビット、例えばＭＳＢと、ＨＥ−ＳＩＧ−Ａ  １１０内の３ビットＳＩＧＢ  ＭＣＳフィールドの所定のビット、例えばＭＳＢの両方を再使用する。この場合、全帯域幅ＭＵ−ＭＩＭＯ送信における空間多重化ユーザの数を示すために、ＨＥ−ＳＩＧ−Ａ１１０において、１つのみの追加のシグナリングビットが必要とされる。これによって、全帯域幅ＭＵ−ＭＩＭＯ送信における空間多重化ユーザの数をＨＥ−ＳＩＧ−Ａ１１０内で直接シグナリングすることと比較して、２つのシグナリングビットが節約される。例えば、ＨＥ−ＳＩＧ−Ａ１１０内の４ビットのＳＩＧＢシンボル数フィールドのＭＳＢが再利用されて、ＨＥ−ＳＩＧ−Ｂ１  ３０２とＨＥ−ＳＩＧ−Ｂ２  ３０４の両方に等しい数のユーザ固有サブフィールドがあるか否かが示される。ＨＥ−ＳＩＧ−Ａ１１０内の３ビットＳＩＧＢ  ＭＣＳフィールドのＭＳＢは、ＨＥ−ＳＩＧ−Ｂ１  ３０２内のＢＣＣブロックの数Ｎｂｌｋ，１が１または２であるかを示すために再利用される。ＨＥ−ＳＩＧ−Ｂ１  ３０２内の最後のＢＣＣブロックが単一のユーザ固有サブフィールドまたは２つのユーザ固有サブフィールドを含むかを示すために、１つの追加のシグナリングビットが使用される。受信部は、以下の式（２４）によって、全帯域幅ＭＵ−ＭＩＭＯ送信における空間多重化ユーザの数を決定することができる。
【０１２６】
【数２９】
2019527494.tif 000036
【０１２７】
ここで、ＨＥ−ＳＩＧ−Ｂ１  ３０２の最後のＢＣＣブロックが２つのユーザ固有サブフィールドを含む場合、αはゼロに等しい。その他の場合、αは１に等しい。ＨＥ−ＳＩＧ−Ｂ１  ３０２とＨＥ−ＳＩＧ−Ｂ２  ３０４の両方が同じ数のユーザ固有サブフィールドを有する場合、βはゼロに等しい。その他の場合、βは１に等しい。
【０１２８】
＜第８の実施形態＞
本開示の第８の実施形態は、全帯域幅ＭＵ−ＭＩＭＯ送信の場合に第６の実施形態とまったく同じ圧縮ＨＥ−ＳＩＧ−Ｂ構造を採用する。しかしながら、第８の実施形態は、圧縮ＨＥ−ＳＩＧ−Ｂ１１２に対するＨＥ−ＳＩＧ−Ａ１１０において、第６の実施形態とは異なるシグナリングサポートを指定する。
【０１２９】
本開示の第８の実施形態によれば、ＨＥ−ＳＩＧ−Ｂモード（すなわち、ＨＥ−ＳＩＧ−Ｂ１１２が圧縮されているか否か）と、全帯域幅ＭＵ−ＭＩＭＯ送信における空間多重化ユーザの数をともに示すために、ＨＥ−ＳＩＧ−Ａ１１０内のＳＩＧＢ圧縮フィールドのビット長が１ビットから３ビットに拡張される。シグナリング符号化の例を表５に示す。結果として、全帯域幅ＭＵ−ＭＩＭＯ送信における空間多重化ユーザの数を示すために、ＨＥ−ＳＩＧ−Ａ１１０において、２つのみの追加のシグナリングビットが必要とされる。これによって、全帯域幅ＭＵ−ＭＩＭＯ送信における空間多重化ユーザの数をＨＥ−ＳＩＧ−Ａ１１０内で直接シグナリングすることと比較して、１つのシグナリングビットが節約される。
【０１３０】
【表５】
2019527494.tif 000037
【０１３１】
＜第９の実施形態＞
本開示の第９の実施形態は、全帯域幅ＭＵ−ＭＩＭＯ送信の場合に第６の実施形態とまったく同じ圧縮ＨＥ−ＳＩＧ−Ｂ構造を採用する。しかしながら、第９の実施形態は、圧縮ＨＥ−ＳＩＧ−Ｂ１１２に対するＨＥ−ＳＩＧ−Ａ１１０において、第６の実施形態とは異なるシグナリングサポートを指定する。
【０１３２】
表３から、ＨＥ−ＳＩＧ−Ｂシンボルの数（すなわち、Ｎｓｙｍ）と全帯域幅ＭＵ−ＭＩＭＯ送信における空間多重化ユーザの数（すなわち、Ｎｕｓｓ）との間のすべての組合せが可能であるとは限らないことが分かる。より詳細には、Ｎｕｓｓ＝２の場合、ＨＥ−ＳＩＧ−Ｂシンボルの可能な数は１，２または３である。Ｎｕｓｓ＝３または４の場合、ＨＥ−ＳＩＧ−Ｂシンボルの可能な数は１，２または４である。Ｎｕｓｓ＝５または６の場合、ＨＥ−ＳＩＧ−Ｂシンボルの可能な数は１，２，４または７である。Ｎｕｓｓ＝７または８の場合、ＨＥ−ＳＩＧ−Ｂシンボルの可能な数は１，２，４または８である。まとめると、ＨＥ−ＳＩＧ−Ｂシンボルの数と全帯域幅ＭＵ−ＭＩＭＯ送信における空間多重化ユーザの数との間には、合計で２５の可能な組合せが存在する。言い換えれば、ＨＥ−ＳＩＧ−Ｂシンボルの数と全帯域幅ＭＵ−ＭＩＭＯ送信における空間多重化ユーザの数との間の２５の可能な組合せをシグナリングするには、５ビットで十分である。
【０１３３】
本開示の第９の実施形態によれば、ＨＥ−ＳＩＧ−Ａ１１０内のＳＩＧＢ圧縮フィールドが１に設定されているとき、ＨＥ−ＳＩＧ−Ｂシンボルの数と、全帯域幅ＭＵ−ＭＩＭＯ送信における空間多重化ユーザの数を併せてシグナリングするために、ＨＥ−ＳＩＧ−Ａ１１０内のＳＩＧＢシンボル数フィールドのビット長が４ビットから５ビットに拡張される。シグナリング符号化の例を表６に示す。結果として、全帯域幅ＭＵ−ＭＩＭＯ送信における空間多重化ユーザの数を示すために、ＨＥ−ＳＩＧ−Ａ１１０において、１つのみの追加のシグナリングビットが必要とされる。これによって、全帯域幅ＭＵ−ＭＩＭＯ送信における空間多重化ユーザの数をＨＥ−ＳＩＧ−Ａ１１０内で直接シグナリングすることと比較して、２つのシグナリングビットが節約される。
【０１３４】
【表６−１】
2019527494.tif 000038
【表６−２】
2019527494.tif 000039
【表６−３】
2019527494.tif 000040
【０１３５】
＜第１０の実施形態＞
本開示の第１０の実施形態は、全帯域幅ＭＵ−ＭＩＭＯ送信の場合に第６の実施形態とまったく同じ圧縮ＨＥ−ＳＩＧ−Ｂ構造を採用する。しかしながら、第１０の実施形態は、圧縮ＨＥ−ＳＩＧ−Ｂ１１２に対するＨＥ−ＳＩＧ−Ａ１１０において、第６の実施形態とは異なるシグナリングサポートを指定する。
【０１３６】
表３から、圧縮ＨＥ−ＳＩＧ−Ｂ１１２には、ＭＣＳ２、ＭＣＳ４、ＭＣＳ５は不要であり得るため、ＨＥ−ＳＩＧ−Ｂ１１２に対するＤＣＭの適用有無、ＨＥ−ＳＩＧ−Ｂ１１２のＭＣＳ、ＨＥ−ＳＩＧ−Ｂシンボルの数および全帯域幅ＭＵ−ＭＩＭＯ送信における空間多重化ユーザの数の間の組合わせの総数は４２である。換言すれば、圧縮ＨＥ−ＳＩＧ−Ｂ１１２については、ＨＥ−ＳＩＧ−Ｂ１１２に対するＤＣＭの適用有無、ＨＥ−ＳＩＧ−Ｂ１１２のＭＣＳ、ＨＥ−ＳＩＧ−Ｂシンボルの数および全帯域幅ＭＵ−ＭＩＭＯ送信における空間多重化ユーザの数を示すには、６ビットで十分である。
【０１３７】
本開示の第１０の実施形態によれば、ＨＥ−ＳＩＧ−Ｂ１１２に対するＤＣＭの適用可能性、ＨＥ−ＳＩＧ−Ｂ１１２のＭＣＳ、ＨＥ−ＳＩＧ−Ｂシンボルの数および全帯域幅ＭＵ−ＭＩＭＯ送信における空間多重化ユーザの数は、ＨＥ−ＳＩＧ−Ａ１１０における８ビットシグナリングを使用して併せて示される。ＨＥ−ＳＩＧ−Ａ１１０のＳＩＧＢ圧縮フィールドが０に設定されるとき、表２に示すように、８ビットシグナリングの最初の３ビットは、ＨＥ−ＳＩＧ−Ｂ１２のＭＣＳを示すために使用され、８ビットシグナリングの次の１ビットは、ＤＣＭがＨＥ−ＳＩＧ−Ｂ１１２に適用されるか否かを示すために使用され、８ビットシグナリングの最後の４ビットは、ＨＥ−ＳＩＧ−Ｂシンボルの数を示すために使用される。ＨＥ−ＳＩＧ−Ａ１１０のＳＩＧＢ圧縮フィールドが１に設定されるとき、ＨＥ−ＳＩＧ−Ｂ１１２に対するＤＣＭの適用有無、ＨＥ−ＳＩＧ−Ｂ１１２のＭＣＳ、ＨＥ−ＳＩＧ−Ｂシンボルの数および全帯域幅ＭＵ−ＭＩＭＯ送信における空間多重化ユーザの数を併せて示すために、８ビットシグナリングが使用される。この場合、全帯域幅ＭＵ−ＭＩＭＯ送信における空間多重化ユーザの数を示すために、ＨＥ−ＳＩＧ−Ａ１１０において、追加のシグナリングビットは必要とされない。
【０１３８】
本開示によれば、全帯域幅ＭＵ−ＭＩＭＯ圧縮ＨＥ−ＳＩＧ−Ｂ１１２について、全帯域幅ＭＵ−ＭＩＭＯ送信において限られた数（すなわち、最大８）の空間多重化ユーザを利用することと、ユーザ固有サブフィールドはＨＥ−ＳＩＧ−Ｂ１  ３０２とＨＥ−ＳＩＧ−Ｂ２  ３０４との間で公平に分散されることを利用して、ＨＥ−ＳＩＧ−Ｂモード、ＨＥ−ＳＩＧ−Ｂ１１２に対するＤＣＭの適用有無、ＨＥ−ＳＩＧ−Ｂ１１２のＭＣＳおよびＨＥ−ＳＩＧ−Ｂシンボルの数のようなＨＥ−ＳＩＧ−Ｂ関連シグナリングのうちの１つまたは複数は、圧縮ＨＥ−ＳＩＧ−Ｂ１１２の全帯域幅ＭＵ−ＭＩＭＯ送信における空間多重化ユーザの数を示すのに必要とされる追加のシグナリングビットを低減する目的で、全帯域幅ＭＵ−ＭＩＭＯ送信における空間多重化ユーザの数とともにシグナリングすることができる。
【０１３９】
＜第１１の実施形態＞
本開示の第１１の実施形態は、全帯域幅ＭＵ−ＭＩＭＯ送信の場合に第６の実施形態とまったく同じ圧縮ＨＥ−ＳＩＧ−Ｂ構造を採用する。しかしながら、第１１の実施形態は、圧縮ＨＥ−ＳＩＧ−Ｂ１１２に対するＨＥ−ＳＩＧ−Ａ１１０において第６の実施形態とは異なるシグナリングサポートを指定する。
【０１４０】
本開示の第１１の実施形態によれば、ＨＥ−ＳＩＧ−Ａ１１０内のＳＩＧＢ圧縮フィールドが１に設定されているとき、ＨＥ−ＳＩＧ−Ｂシンボルの数の代わりに、全帯域幅ＭＵ−ＭＩＭＯ送信における空間多重化ユーザの数をシグナリングするために、ＨＥ−ＳＩＧ−Ａ１１０内のＳＩＧＢシンボル数フィールドが使用される。シグナリング符号化の例を表７に示す。結果として、全帯域幅ＭＵ−ＭＩＭＯ送信における空間多重化ユーザの数を示すために、ＨＥ−ＳＩＧ−Ａ１１０において、追加のシグナリングビットは必要とされない。これによって、全帯域幅ＭＵ−ＭＩＭＯ送信における空間多重化ユーザの数をＨＥ−ＳＩＧ−Ａ１１０内で直接シグナリングすることと比較して、３つのシグナリングビットが節約される。
【０１４１】
【表７】
2019527494.tif 000041
【０１４２】
本開示の第１１の実施形態によれば、ＨＥ−ＳＩＧ−Ａ１１０内のＳＩＧＢ圧縮フィールドが１に設定されているとき、表３に示すように、ＨＥ−ＳＩＧ−Ｂシンボルの数は、ＨＥ−ＳＩＧ−Ａ１１０内のＳＩＧＢ  ＭＣＳフィールド、ＳＩＧＢ  ＤＣＭフィールドおよびＳＩＧＢシンボル数フィールドの値に従って計算することができる。
【０１４３】
＜ＨＥ−ＳＩＧ−ＡシグナリングフィールドおよびＨＥ−ＳＩＧ−Ｂシグナリングフィールド＞
ＩＥＥＥ８０２．１１ａｘ仕様フレームワーク文書［非特許文献６参照］によれば、表７に示すようなＨＥ−ＳＩＧ−Ｂ関連シグナリングフィールドに加えて、ＨＥ−ＳＩＧ−Ａ１１０は、ＨＥパケットはＤＬまたはＵＬ向けに意図されているかを示す、ＵＬ／ＤＬフィールドを含む。
【０１４４】
ＩＥＥＥ８０２．１１ａｘ仕様フレームワーク文書［非特許文献６参照］によれば、表８に示すように、ＨＥ−ＳＩＧ−Ｂの共通ブロックフィールドは、１つまたは複数の８ビットＲＵ割当シグナリングサブフィールドを含み、その各々が、周波数ドメインにおけるＲＵ構成、ＭＵ−ＭＩＭＯに割り当てられているＲＵおよびＭＵ−ＭＩＭＯ割当におけるユーザ数のような、２０ＭＨｚパケット帯域幅あたりのＲＵ割当情報を示す。例えば、ＲＵ割当インデックス「００１０１０００」は、ＳＵ−ＭＩＭＯ送信用に割り当てられた以下の５つのＲＵを含む、周波数ドメインにおける特定のＲＵ構成を示す。
−  第１の２６トーンＲＵ（すなわち、タイプＩ  ＲＵ）。
−  第２の２６トーンＲＵ（すなわち、タイプＩ  ＲＵ）。
−  第３および第４の２６トーンＲＵをカバーする５２トーンＲＵ（すなわち、タイプＩＩ  ＲＵ）。
−  第５の２６トーンＲＵ（すなわち、タイプＩ  ＲＵ）
−  第６、第７、第８および第９の２６トーンＲＵをカバーする１０６トーンＲＵ（すなわち、タイプＩＩＩ  ＲＵ）。
【０１４５】
【表８−１】
2019527494.tif 000042
【表８−２】
2019527494.tif 000043
【０１４６】
本開示によれば、ＤＬ  ＭＵ送信に加えて、ＨＥパケットは、ＤＬまたはＵＬ  ＳＵ部分帯域送信にも使用され得る。図１４は、本開示に係るＳＵ部分帯域送信に使用されるＨＥパケットのフォーマットの一例を示す。ＳＵ部分帯域送信に関して、Ｌ−ＳＴＦ１０２、Ｌ−ＬＴＦ１０４、Ｌ−ＳＩＧ１０６、ＲＬ−ＳＩＧ１０８、ＨＥ−ＳＩＧ−Ａ１１０およびＨＥ−ＳＩＧ−Ｂ１１２を含むＨＥパケットのｐｒｅ−ＨＥ−ＳＴＦ部分は、２０ＭＨｚ帯域幅を介して送信され、一方、ＨＥ−ＳＴＦ１１４、ＨＥ−ＬＴＦ１１６およびＨＥデータフィールド１２０は、２０ＭＨｚ未満の帯域幅を有する単一の２６トーンＲＵ、５２トーンＲＵまたは１０６トーンＲＵ内で送信される。図１４のＨＥパケットを使用するＳＵ部分帯域送信がプライマリ２０ＭＨｚチャネルにない場合、非プライマリ２０ＭＨｚチャネルでキャリア検知が実行されない場合があるため、そのようなＳＵ部分帯域送信を保護するために追加の送信規則が必要とされる。例えば、プライマリ２０ＭＨｚチャネルにないＨＥパケットを使用するＳＵ部分帯域送信は、先行するＲＴＳ／ＣＴＳメッセージ交換を伴う。
【０１４７】
＜第１２の実施形態＞
本開示の第１２の実施形態によれば、単一の２６トーンＲＵ、５２トーンＲＵまたは１０６トーンＲＵ内のＤＬまたはＵＬ  ＳＵ部分帯域送信について、図１４のＨＥパケットのＨＥ−ＳＩＧ−Ｂ１１２内のＲＵ割当インデックスは、ＲＵ割当インデックスによって指定されるＲＵ構成に対応するＨＥ−ＳＩＧ−Ｂ１１２内のユーザ固有サブフィールドの数が可能な限り小さくなるように割り当てられるべきである。その結果、ＳＵ部分帯域送信のＨＥ−ＳＩＧ−Ｂオーバーヘッドが最小化される。
【０１４８】
表９は、本開示の第１２の実施形態に従って単一の２６トーンＲＵ、５２トーンＲＵまたは１０６トーンＲＵがＳＵ部分帯域送信に割り当てられるときにＲＵ割当インデックスがどのように割り当てられるかを示す。例えば、第１または第２の２６トーンＲＵ内のＳＵ部分帯域送信について、すべての可能なＲＵ構成の間で最小である５つのユーザ固有サブフィールドしか必要とされないため、ＲＵ割当インデックスは“００１０１０００”に設定されるべきである。同様に、第５の２６トーンＲＵ内のＳＵ部分帯域送信について、すべての可能なＲＵ構成の間で最小である３つのユーザ固有サブフィールドしか必要とされないため、ＲＵ割当インデックスは“１０００００００”に設定されるべきである。
【０１４９】
【表９】
2019527494.tif 000044
【０１５０】
図１５は、本開示の第１２の実施形態による第１の２６トーンＲＵ内のＳＵ部分帯域送信に使用される、図１４のＨＥパケットのＨＥ−ＳＩＧ−Ｂ１１２のフォーマットの一例を示す。この場合、ＲＵ割当インデックスは“００１０１０００”に設定され、第１のユーザ固有サブフィールドのみが意味を持ち、一方、他の４つのユーザ固有サブフィールドはＡＩＤ（すなわちＳＴＡ識別子）＝２０４６でダミーである。表１０は、本開示の第１２の実施形態による第１の２６トーンＲＵ内のＳＵ部分帯域送信に使用される、図１４のＨＥパケットのＨＥ−ＳＩＧ−Ｂシンボルの数を示す。
【０１５１】
【表１０】
2019527494.tif 000045
【０１５２】
＜第１３の実施形態＞
本開示の第１３の実施形態によれば、表８に示されるＲＵ割当シグナリング表内の１５個の予備エントリの各々が、ＳＵ部分帯域送信に割り当てられた特定の２６トーンＲＵ、５２トーンＲＵまたは１０６トーンＲＵを示すために使用される。
【０１５３】
表１１は、本開示の第１３の実施形態によるＨＥパケット１００のＨＥ−ＳＩＧ−Ｂ１１２におけるＲＵ割当シグナリングを示す。特に、ＲＵ割当インデックス１１１０００００〜１１１０１１１０は、ＳＵ部分帯域送信に割り当てられる特定の２６トーンＲＵ、５２トーンＲＵまたは１０６トーンＲＵを示すために使用される。例えば、ＲＵ割当インデックス「１１１０００００」は、ＳＵ部分帯域送信に割り当てられる第１の２６トーンＲＵを示すために使用され、ＲＵ割当インデックス「１１１０１００１」は、ＳＵ部分帯域送信に割り当てられる第１および第２の２６トーンＲＵをカバーする第１の５２トーンＲＵを示すために使用される。
【０１５４】
本開示の第１３の実施形態によれば、表１１に示されるように、ＨＥ−ＳＩＧ−Ｂ１１２内の８ビットＲＵ割当シグナリングサブフィールドは、２つ以上の２６トーンＲＵ、５２トーンＲＵおよび／または１０６トーンＲＵだけでなく、単一の２６トーンＲＵ、５２トーンＲＵ、または１０６トーンＲＵをも指定することができる。
【０１５５】
【表１１−１】
2019527494.tif 000046
【表１１−２】
2019527494.tif 000047
【０１５６】
図１６は、本開示の第１３の実施形態による第１の２６トーンＲＵ内のＳＵ部分帯域送信に使用される、図１４のＨＥパケットのＨＥ−ＳＩＧ−Ｂ１１２のフォーマットの一例を示す。表１１に示すＨＥ−ＳＩＧ−Ｂ１１２の８ビットＲＵ割当シグナリングサブフィールドは、特定の２６トーンＲＵ、５２トーンＲＵまたは１０６トーンＲＵを示すことができるため、単一のユーザ固有サブフィールドのみがＨＥ−ＳＩＧ−Ｂ１１２内に必要とされ、ＨＥ−ＳＩＧ−Ｂ１１２にダミーのユーザ固有サブフィールドは存在しない。表１２は、本開示の第１３の実施形態による第１の２６トーンＲＵ内のＳＵ部分帯域送信に使用される、ＨＥパケット１００のＨＥ−ＳＩＧ−Ｂシンボルの数を示す。第１２の実施形態と比較して、第１３の実施形態のＨＥ−ＳＩＧ−Ｂオーバーヘッドは、特にＭＣＳ０、ＭＣＳ１、ＭＣＳ２またはＭＣＳ３がＨＥ−ＳＩＧ−Ｂ１１２に適用された場合に顕著に低減される。
【０１５７】
【表１２】
2019527494.tif 000048
【０１５８】
＜第１４の実施形態＞
本開示の第１４の実施形態によれば、ＳＵ部分帯域送信について、図１４のＨＥパケットのＨＥ−ＳＩＧ−Ｂ１１２におけるＲＵ割当シグナリングは、２つ以上の２６トーンＲＵ、５２トーンＲＵおよび／または１０６トーンＲＵを含むＲＵ構成の代わりに、単一の２６トーンＲＵ、５２トーンＲＵ  １０６トーンＲＵを示すために使用される。その結果、本開示の第１３の実施形態と同様に、ＨＥ−ＳＩＧ−Ｂ１１２には、単一のユーザ固有サブフィールドのみが必要とされる。表１２に示すように、第１２の実施形態と比較して、第１４の実施形態のＨＥ−ＳＩＧ−Ｂオーバーヘッドは、特にＭＣＳ０、ＭＣＳ１、ＭＣＳ２またはＭＣＳ３がＨＥ−ＳＩＧ−Ｂ１１２に適用された場合に顕著に低減される。
【０１５９】
本開示の第１４の実施形態によれば、トリガフレーム（非特許文献６を参照）のＰｅｒ  Ｕｓｅｒ  Ｉｎｆｏ（ユーザ別情報）フィールド内の既存の８ビットＲＵ割当シグナリングサブフィールドを使用して、単一の２６トーンＲＵ、５２トーンＲＵ、または１０６トーンＲＵを示すことができる。８ビットＲＵ割当シグナリングの最初のビットは、割り当てられたＲＵがプライマリまたは非プライマリ８０ＭＨｚチャネルに位置していることを示す。後続の７ビットＲＵ割当インデックスの割り当てられるＲＵへのマッピングが、表１３に示されている。例えば、ＲＵ割当インデックス「００００００００」は、ＳＵ部分帯域送信に対して、プライマリ８０ＭＨｚチャネルの最初の２６トーンＲＵが割り当てられていることを示す。
【０１６０】
【表１３】
2019527494.tif 000049
【０１６１】
トリガベースのＵＬ  ＭＵ送信は、ＩＥＥＥ  ８０２．１１ａｘ（非特許文献６参照）の任意選択の機能であることに留意されたい。ＳＴＡがトリガベースのＵＬ  ＭＵ送信を実装することを意図する場合、トリガフレームのＰｅｒ  Ｕｓｅｒ  Ｉｎｆｏフィールド内の８ビットＲＵ割当シグナリングを使用することによって、追加の実装が複雑になることはない。しかしながら、ＳＴＡがトリガベースのＵＬ  ＭＵ送信を実装しないことを意図する場合、トリガフレームのＰｅｒ  Ｕｓｅｒ  Ｉｎｆｏフィールド内の８ビットＲＵ割当シグナリングを使用することによって、追加の実装が複雑になる。
【０１６２】
本開示の第１４の実施形態によれば、代替的な４ビットＲＵ割当シグナリングを使用して、単一の２６トーンＲＵ、５２トーンＲＵまたは１０６トーンＲＵを示すことができる。４ビットＲＵ割当インデックスのＲＵ割当へのマッピングが、表１４に定義されている。例えば、ＲＵ割当インデックス「００００」は、ＳＵ部分帯域送信に対して、２０ＭＨｚ内の最初の２６トーンＲＵが割り当てられていることを示す。
【０１６３】
【表１４】
2019527494.tif 000050
【０１６４】
ＳＴＡがトリガベースのＵＬ  ＭＵ送信を実装しないことを意図する場合、表１４に示される代替的な４ビットＲＵ割当シグナリングサブフィールドは、表１３に示される８ビットＲＵ割当シグナリングよりも実装が複雑でない。これは、前者が必要とするルックアップテーブルが後者よりも小さいためである。
【０１６５】
本開示の第１４の実施形態によれば、送信側ＳＴＡが、ＨＥパケットを使用した受信側ＳＴＡとの、単一の２６トーンＲＵ、５２トーンＲＵまたは１０６トーンＲＵ内でのＳＵ部分帯域送信に関与しようとしているとき、送信側ＳＴＡは、受信側ＳＴＡの能力に基づいて、ＨＥパケットのＨＥ−ＳＩＧ−Ｂ１１２において、表１３に示すような８ビットＲＵ割当シグナリングが使用されるか、または、表１４に示すような代替的な４ビットＲＵ割当シグナリングサブフィールドが使用されるかを判定することができる。受信側ＳＴＡがトリガベースＵＬ  ＭＵ送信をサポートする場合、送信側ＳＴＡは表１３に示すような８ビットＲＵ割当シグナリングを使用する。それ以外の場合、送信側ＳＴＡは、表１４に示すように代替的な４ビットＲＵ割当シグナリングサブフィールドを使用する。その結果、実装の複雑さが最小限に抑えられる。
【０１６６】
本開示の第１４の実施形態によれば、送信側ＳＴＡが、ＨＥパケットを使用した受信側ＳＴＡとの、単一の２６トーンＲＵ、５２トーンＲＵまたは１０６トーンＲＵ内でのＳＵ部分帯域送信に関与しようとしているとき、表１３に示すような８ビットＲＵ割当シグナリングサブフィールドまたは表１４に示すような代替的な４ビットＲＵ割当シグナリングサブフィールドがＨＥパケットのＨＥ−ＳＩＧ−Ｂ１１２において使用される。それ以外の場合、表８に示すような８ビットＲＵ割当シグナリングサブフィールドが使用され得る。結果として、ＨＥパケットのＨＥ−ＳＩＧ−Ｂ１１２においていずれのＲＵ割当シグナリングサブフィールドが使用されているかを受信側ＳＴＡが知るためには、ＨＥパケットのＨＥ−ＳＩＧ−Ａ１１０における追加のシグナリングサポートが必要である。
【０１６７】
表１５は、本開示の第１４の実施形態によるＨＥパケットのＨＥ−ＳＩＧ−Ａ  １１０内のＨＥ−ＳＩＧ−Ｂ関連シグナリングフィールドを示す。ＨＥ−ＳＩＧ−ＡのＳＩＧＢ圧縮フィールドは、ＨＥ−ＳＩＧ−Ｂ圧縮が有効化されているか否かを示すために再利用される。ＨＥ−ＳＩＧ−Ｂ圧縮が有効化されている場合、ＨＥ−ＳＩＧ−Ａ１１０のＳＩＧＢシンボル数フィールドの最後のビットは、全帯域幅ＭＵ−ＭＩＭＯのＨＥ−ＳＩＧ−Ｂ圧縮が有効化されているか、または、ＳＵ部分帯域送信のためのＨＥ−ＳＩＧ−Ｂ圧縮が有効化されているかを示すために使用される。ＨＥ−ＳＩＧ−Ａ１１０内のＳＩＧＢ圧縮フィールドとＳＩＧＢシンボル数フィールドの両方が、ＳＵ部分帯域送信のＨＥ−ＳＩＧ−Ｂ圧縮が有効化されていることを示す場合、表１３に示すような８ビットＲＵ割当シグナリングサブフィールドまたは表１４に示すような代替的な４ビットＲＵ割当シグナリングサブフィールドがＨＥ−ＳＩＧ−Ｂ１１２において使用される。ＨＥ−ＳＩＧ−Ａ１１０のＳＩＧＢ圧縮フィールドおよびＳＩＧＢシンボル数フィールドの両方が、全帯域幅ＭＵ−ＭＩＭＯのためのＨＥ−ＳＩＧ−Ｂ圧縮が有効化されていることを示す場合、本発明の第６〜第１１の実施形態に係るＨＥ−ＳＩＧ−Ｂ１１２内にＲＵ割当シグナリングサブフィールドはない。それ以外の場合、表８に示すような８ビットＲＵ割当シグナリングがＨＥ−ＳＩＧ−Ｂ１１２において使用され得る。その結果、受信側ＳＴＡは、ＨＥパケットのＨＥ−ＳＩＧ−Ａ１１０のＳＩＧＢシンボル数フィールドおよびＳＩＧＢ圧縮フィールドに基づいて、いずれのＲＵ割当シグナリングがＨＥパケットのＨＥ−ＳＩＧ−Ｂ１１２内で使用されているかを知ることができる。さらに、本開示の第１１の実施形態に係る表７のＨＥ−ＳＩＧ−ＡにおけるＨＥ−ＳＩＧ−Ｂ関連シグナリングフィールドと比較して、追加のＨＥ−ＳＩＧ−Ａシグナリングビットは、本開示の第１４の実施形態には必要とされない。
【０１６８】
【表１５】
2019527494.tif 000051
【０１６９】
表１６は、ＵＬ  ＳＵ部分帯域送信のみがサポートされる場合の、本開示の第１４の実施形態によるＨＥパケットのＨＥ−ＳＩＧ−Ａ１１０内のＨＥ−ＳＩＧ−Ｂ関連シグナリングフィールドを示す。ＨＥ−ＳＩＧ−Ａ１１０内のＳＩＧＢ圧縮フィールドが、ＨＥ−ＳＩＧ−Ａ１１０内のＵＬ／ＤＬフィールドとともに、全帯域幅ＭＵ−ＭＩＭＯのＨＥ−ＳＩＧ−Ｂ圧縮が有効化されているか、または、ＳＵ部分帯域送信のためのＨＥ−ＳＩＧ−Ｂ圧縮が有効化されているかを示すために使用される。ＨＥ−ＳＩＧ−Ａ１１０内のＵＬ／ＤＬフィールドとＳＩＧＢ圧縮フィールドの両方が、ＳＵ部分帯域送信のＨＥ−ＳＩＧ−Ｂ圧縮が有効化されていることを示す場合、表１３に示すような８ビットＲＵ割当シグナリングまたは表１４に示すような代替的な４ビットＲＵ割当シグナリングがＨＥ−ＳＩＧ−Ｂ１１２において使用される。ＨＥ−ＳＩＧ−Ａ１１０のＵＬ／ＤＬフィールドとＳＩＧＢ圧縮フィールドの両方が、全帯域幅ＭＵ−ＭＩＭＯのためのＨＥ−ＳＩＧ−Ｂ圧縮が有効化されていることを示す場合、本発明の第６〜第１１の実施形態に係るＨＥ−ＳＩＧ−Ｂ１１２内にＲＵ割当シグナリングはない。それ以外の場合、表８に示すような８ビットＲＵ割当シグナリングがＨＥ−ＳＩＧ−Ｂ１１２において使用され得る。その結果、受信側ＳＴＡは、ＨＥパケット１００のＨＥ−ＳＩＧ−Ａ１１０のＵＬ／ＤＬフィールドおよびＳＩＧＢ圧縮フィールドに基づいて、いずれのＲＵ割当シグナリングがＨＥパケット１００のＨＥ−ＳＩＧ−Ｂ１１２内で使用されているかを知ることができる。さらに、本開示の第１１の実施形態に係る表７のＨＥ−ＳＩＧ−ＡにおけるＨＥ−ＳＩＧ−Ｂ関連シグナリングフィールドと比較して、追加のＨＥ−ＳＩＧ−Ａシグナリングビットは、ＵＬ  ＳＵ部分帯域送信のみがサポートされる場合の本開示の第１４の実施形態には必要とされない。
【０１７０】
【表１６】
2019527494.tif 000052
【０１７１】
＜アクセスポイントの構成＞
図１２は、本開示に係るＡＰの構成例を示すブロック図である。ＡＰは、コントローラ１２０２と、スケジューラ１２０４と、メッセージ生成部１２０８と、メッセージプロセッサ１２０６と、ＰＨＹプロセッサ１２１０と、アンテナ１２１２とを備える。アンテナ１２１２は、１つのアンテナポートまたは複数のアンテナポートの組合せで構成することができる。コントローラ１２０２は、ＭＡＣプロトコルコントローラであり、一般的なＭＡＣプロトコル動作を制御する。ＤＬ送信の場合、スケジューラ１２０４は、ＳＴＡからのチャネル品質指標（ＣＱＩ：ｃｈａｎｎｅｌ  ｑｕａｌｉｔｙ  ｉｎｄｉｃａｔｏｒ）に基づいてコントローラ１２０２の制御下で周波数スケジューリングを実行し、ＳＴＡのデータをＲＵに割り当てる。また、スケジューラ１２０４は、リソース割当結果をメッセージ生成部１２０８に出力する。メッセージ生成部１２０８は、対応する制御シグナリング（すなわち、共通制御情報、リソース割当情報、およびユーザ別割当情報）およびスケジュールされているＳＴＡのデータを生成し、これらは、ＰＨＹプロセッサ１２１０によってＨＥパケットに形成され、アンテナ１２１２を介して送信される。制御シグナリングは、上述の実施形態に従って構成することができる。他方、メッセージプロセッサ１２０６は、アンテナ１２１２を通じてＳＴＡから受信したＣＱＩを、コントローラ１２０２の制御の下で分析し、スケジューラ１２０４およびコントローラ１２０２に提供する。これらのＣＱＩは、ＳＴＡから通知されている受信品質情報である。ＣＱＩは、「ＣＳＩ」（チャネル状態情報（Ｃｈａｎｎｅｌ  Ｓｔａｔｅ  Ｉｎｆｏｒｍａｔｉｏｎ））と呼ばれることもある。
【０１７２】
＜ＳＴＡの構成＞
図１３は、本開示に係るＳＴＡの構成例を示すブロック図である。ＳＴＡは、コントローラ１３０２と、メッセージ生成部１３０４と、メッセージプロセッサ１３０６と、ＰＨＹプロセッサ１３０８と、アンテナ１３１０とを備える。コントローラ１３０２は、ＭＡＣプロトコルコントローラであり、一般的なＭＡＣプロトコル動作を制御する。アンテナ１３１０は、１つのアンテナポートまたは複数のアンテナポートの組合せで構成することができる。ＤＬ送信の場合、アンテナ１３１０は、ＨＥパケットを含む下りリンク信号を受信し、メッセージプロセッサ１３０６は、受信したＨＥパケットに含まれる制御シグナリングから、その指定されたＲＵおよびその特定の割当情報を特定し、その特定の割当情報に従ってその指定されたＲＵにおいて受信ＨＥパケットからその特定のデータを復号する。ＨＥパケットに含まれる制御シグナリングは、上述の実施形態に従って構成することができる。メッセージプロセッサ１３０６は、アンテナ１３１０を介して受信したＨＥパケットからチャネル品質を推定し、コントローラ１３０２に提供する。メッセージ生成部１３０４はＣＱＩメッセージを生成し、ＣＱＩメッセージは、ＰＨＹプロセッサ１３０８によって形成され、アンテナ１３１０を介して送信される。
【０１７３】
上記実施形態では、本発明を、例としてハードウェアで構成したが、本発明はまた、ハードウェアと協働するソフトウェアによって提供されてもよい。
【０１７４】
加えて、本実施形態の説明に用いた機能ブロックは、一般的には、集積回路であるＬＳＩデバイスとして実現される。機能ブロックは、個々のチップとして形成されてもよいし、または、機能ブロックの一部もしくは全部が単一チップに集積されてもよい。ここでは「ＬＳＩ」という用語を用いているが、集積度に応じて、「ＩＣ」、「システムＬＳＩ」、「スーパーＬＳＩ」または「ウルトラＬＳＩ」という用語も使用されてもよい。
【０１７５】
また、回路集積は、ＬＳＩに限らず、ＬＳＩ以外の専用回路または汎用プロセッサによって実現してもよい。ＬＳＩの製造後、プログラム可能であるフィールドプログラマブルゲートアレイ（ＦＰＧＡ：ｆｉｅｌｄ  ｐｒｏｇｒａｍｍａｂｌｅ  ｇａｔｅ  ａｒｒａｙ）、またはＬＳＩ内の回路セルの接続および設定の再構成を可能にする再構成可能プロセッサを用いてもよい。
【０１７６】
ＬＳＩに置き換わる集積回路技術が、半導体技術またはその技術に由来する他の技術の進歩の結果として現れた場合、そのような技術を用いて機能ブロックが統合されてもよい。別の可能性は、バイオテクノロジーなどの応用である。
【産業上の利用可能性】
【０１７７】
本開示は、無線通信システムにおいてリソース割当情報をフォーマットし、送信するための方法に適用することができる。
【符号の説明】
【０１７８】
１２０２  コントローラ
１２０４  スケジューラ
１２０６  メッセージプロセッサ
１２０８  メッセージ生成部
１２１０  ＰＨＹプロセッサ
１２１２  アンテナ
１３０２  コントローラ
１３０４  メッセージ生成部
１３０６  メッセージプロセッサ
１３０８  ＰＨＹプロセッサ
１３１０  アンテナ
【図１】
2019527494.tif 000053
【図２】
2019527494.tif 000054
【図３】
2019527494.tif 000055
【図４】
2019527494.tif 000056
【図５】
2019527494.tif 000057
【図６】
2019527494.tif 000058
【図７】
2019527494.tif 000059
【図８】
2019527494.tif 000060
【図９】
2019527494.tif 000061
【図１０】
2019527494.tif 000062
【図１１】
2019527494.tif 000063
【図１２】
2019527494.tif 000064
【図１３】
2019527494.tif 000065
【図１４】
2019527494.tif 000066
【図１５】
2019527494.tif 000067
【図１６】
2019527494.tif 000068
【国際調査報告】
2019527494.tif 000069
2019527494.tif 000070